(57)【要約】      （修正有）【課題】既に賭け数が設定されている場合には操作回数を増やすことなく、嫌悪感の発生を抑え、テンポ良くリズムにのって遊技を行うことができる遊技機を提供する。【解決手段】制御手段は、スタートスイッチの操作が行われたときに、少なくとも第１の賭け数又は第２の賭け数が設定されておらず複数のリールの変動表示が実行されなかった場合、スタートスイッチの操作による第２の賭け数の設定を実行可能にし、スタートスイッチの操作が行われたときに、少なくとも第１の賭け数又は第２の賭け数が設定されている場合、複数のリールの変動表示を実行した後、スタートスイッチの操作による第２の賭け数の設定を実行しないことを特徴とする。【選択図】図２５
2019010245.tif 000002
【特許請求の範囲】
【請求項１】
遊技を開始するために設定可能な遊技媒体の賭け数を設定するためのベットスイッチと、
複数種類の図柄を変動表示する複数のリールと、
前記複数のリールの前記変動表示を開始させるスタートスイッチと、
少なくとも第１の賭け数と前記第１の賭け数とは異なる第２の賭け数とのいずれかを設定することで遊技を実行可能に制御する制御手段とを備え、
前記制御手段は、役に当選か否かの役抽選をする役抽選手段を備え、
前記役抽選で当選した前記役に係る図柄の組み合わせが所定態様に停止表示することで遊技者に対して利益を付与可能な遊技を実行可能な遊技機であって、
前記制御手段は、
前記ベットスイッチの操作により前記第１の賭け数を設定可能とし、
前記スタートスイッチの操作により前記第２の賭け数を設定可能とし、
前記スタートスイッチの操作が行われたときに、少なくとも前記第１の賭け数又は前記第２の賭け数が設定されておらず前記複数のリールの前記変動表示が実行されなかった場合、前記スタートスイッチの操作による前記第２の賭け数の設定を実行可能にし、
前記スタートスイッチの操作が行われたときに、少なくとも前記第１の賭け数又は前記第２の賭け数が設定されている場合、前記複数のリールの前記変動表示を実行した後、前記スタートスイッチの操作による前記第２の賭け数の設定を実行しないことを特徴とする遊技機。
【請求項２】
前記制御手段は、
前記スタートスイッチの操作により前記第２の賭け数が設定され、さらに、前記ベットスイッチの操作が行われた場合、設定された前記第２の賭け数を前記第１の賭け数に変更することを特徴とする請求項１に記載の遊技機。
【請求項３】
前記スタートスイッチの操作により前記第２の賭け数が設定されて遊技を実行した場合には、前記ベットスイッチの操作により前記第１の賭け数が設定されて遊技を実行した場合よりも遊技者にとって有利な結果が得られる可能性が高い第１の遊技状態と、
前記ベットスイッチの操作により前記第１の賭け数が設定されて遊技を実行した場合には、前記スタートスイッチの操作により前記第２の賭け数が設定されて遊技を実行した場合よりも遊技者にとって有利な結果が得られる可能性が高い第２の遊技状態とを備えることを特徴とする請求項１又は請求項２に記載の遊技機。
【発明の詳細な説明】
【技術分野】
【０００１】
本発明は、スロットマシン等の遊技機に関する。
【背景技術】
【０００２】
スロットマシン等の遊技機は、以下のようにして遊技が行われる。
遊技者は、先ず、メダルの投入操作を行う。メダルの投入には、メダル投入口からメダルを投入する方法と、内部貯留されたクレジットメダルをベットスイッチの操作で投入する方法とがあり、いずれかを任意に選択することができる。
そして、遊技者は、次に、遊技のスタート操作を行う。この操作は、スタートスイッチを押下することにより行われ、この押下操作に応じて遊技がスタートすると、全リールが回転を開始し、リール上の図柄が変動状態となる。また、スタートスイッチの押下操作のタイミングで、複数の役のいずれの役に当選するか否かの役抽選が行われる。
【０００３】
次に遊技者がリールの停止操作を行う。この操作は、各リールに対応して設けられているストップスイッチを任意の順番で操作することにより行われる。そして、全リールが停止すると、予め定めた有効ライン上に、役抽選の結果、当選した役の図柄組み合わせが停止表示されているか否かにより、入賞等が決定され、入賞内容に応じて、メダルの払い出し等が行われる。
以上の操作は、遊技者の操作手順であり、通常は、複数ゲームに亘って遊技を行うため、これらの操作が何度も繰り返されることとなる。
ベットスイッチにより遊技者のメダルの投入操作の負担軽減が図られているが、クレジットメダルを投入する場合であっても、遊技者は、ベットスイッチや、スタートスイッチ等に沿って手を移動させる必要があるので長時間にわたって遊技をすると、手だけでなく腕や肩が疲労し、遊技意欲の減退をまねくおそれがある。
【０００４】
ここで、従来の遊技機の有利状態において、遊技を開始するための前提条件としてのメダルの賭け数が２枚賭けの遊技と、３枚賭けの遊技とが可能な遊技機があり、遊技者が２枚賭けか、３枚賭けを選択して行うことによってそれぞれの遊技性で遊技を行うことができるものがある。
従来の遊技機では、３枚賭けの遊技を行う場合には、比較的大きなマックスベットスイッチを操作すればよいものの、２枚賭けの遊技を行う場合には、マックスベットスイッチに併設された比較的小さいシングルベットスイッチを２回操作するといったことが必要であり、小さいシングルベットスイッチは操作し難く、複数回の操作となると煩わしいものとなって、遊技意欲の減退を招くおそれがある。
【０００５】
さらに、通常遊技では一般的に賭け数が多いほど遊技者にとって有利であるため、通常遊技では３枚賭けの遊技を行う遊技者が多いところ、有利状態に移行して２枚賭けの遊技を行う意思があったとしても、それまでの通常状態でマックスベットスイッチを継続して操作していた習慣により思いがけず３枚賭けのマックスベットスイッチを操作してしまうことがあった。
また、シングルベットスイッチを操作するつもりであったとしても、シングルベットスイッチとマックスベットスイッチとの２種類が併設されているため、押し損ねによる押し間違えが起こることもあった。
これらより、テンポ良くリズムに乗って遊技を行うことの妨げとなってしまい遊技意欲の減退につながっていた。
【０００６】
このような不都合を解決する方法として、２枚賭け専用のベットスイッチをマックスベットスイッチから離れた位置に設けることが考えられるが、そうした場合に、ハード面での仕様変更が必要となり、製造コストが大幅に嵩んでしまう。また、開発する機種の全てが２枚賭け及び３枚賭けでの遊技が可能な機種ばかりでなく、一部の機種についてハード面の仕様変更が行われることとなると、リメイクなどの点からも非効率的となってしまう。
このような事情を鑑みてか、既設の操作スイッチ、例えば、スタートスイッチを利用して、ベットスイッチの機能と、スタートスイッチの機能との両方の機能を兼ね添えたスタートスイッチ等を用いて、遊技操作の疲労や負担を軽減しようとするものがあった（例えば特許文献１）。
【先行技術文献】
【特許文献】
【０００７】
【特許文献１】特開２００７−３３０３９５号公報
【発明の概要】
【発明が解決しようとする課題】
【０００８】
しかし、上述した特許文献１に記載した従来の技術では、スタートスイッチに対して、リールを回転開始させる役割と、賭け数の設定を行う役割との両方を設けることができ、特許文献１の図７のステップ３０３やステップ３０９に示すように、１回目のスタートスイッチの操作によりマックスベットスイッチとしての３枚投入処理を行い、２回目のスタートスイッチの操作により、リールの回転開始処理を行っている。
上述したような特許文献１に記載した従来の技術では、スタートスイッチの操作が行われたときに、既に賭け数が設定されているような場合、具体的には、例えば、前回遊技でリプレイ役（再遊技役）に係る図柄組み合わせが有効ライン上に停止表示して今回遊技で既に賭け数が設定されているような場合であっても、スタートスイッチの操作が２回必要となる。このように、既に賭け数が設定されているような場合であっても、２回の操作が必要であり、従来よりも操作回数が増えてしまい、リプレイ入賞後に、１回のレバー操作で即座に遊技が開始することに慣れ親しんだ遊技者にとって嫌悪感を引き起こしかねないという問題点があった。
また、操作回数が増えるとなると、その分１回の遊技に係る操作時間が増えることとなり、ひいては１回の遊技に要する時間が増えてしまう。これにより、遊技機の稼働も落ち込んでしまい、遊技者にとってのみならず遊技店にとっても不都合が生じる。
【０００９】
本発明は、既に賭け数が設定されている場合には操作回数を増やすことなく、嫌悪感の発生を抑え、テンポ良くリズムに乗って遊技を行うことができる遊技機を提供することを目的とする。
【課題を解決するための手段】
【００１０】
本発明に係る遊技機10は、次の点を特徴とする。すなわち、遊技を開始するために設定可能な遊技媒体の賭け数を設定するためのベットスイッチ32と、複数種類の図柄61を変動表示する複数のリール62と、前記複数のリール62の前記変動表示を開始させるスタートスイッチ40と、少なくとも第１の賭け数（具体的には、例えば３枚）と前記第１の賭け数とは異なる第２の賭け数（具体的には例えば２枚）とのいずれかを設定することで遊技を実行可能に制御する制御手段（具体的には、例えばメイン制御手段200）とを備え、前記制御手段は、役に当選か否かの役抽選をする役抽選手段210を備え、前記役抽選で当選した前記役に係る図柄61の組み合わせが所定態様に停止表示することで遊技者に対して利益を付与可能な遊技を実行可能な遊技機10であって、前記制御手段は、前記ベットスイッチ32の操作により前記第１の賭け数を設定可能とし、前記スタートスイッチ40の操作により前記第２の賭け数を設定可能とし、前記スタートスイッチ40の操作が行われたときに、少なくとも前記第１の賭け数又は前記第２の賭け数が設定されておらず前記複数のリール62の前記変動表示が実行されなかった場合、前記スタートスイッチ40の操作による前記第２の賭け数の設定を実行可能にし、前記スタートスイッチ40の操作が行われたときに、少なくとも前記第１の賭け数又は前記第２の賭け数が設定されている場合、前記複数のリール62の前記変動表示を実行した後、前記スタートスイッチ40の操作による前記第２の賭け数の設定を実行しないことを特徴とする。
【００１１】
本発明によれば、スタートスイッチ40が、第２の賭け数を設定させる役割と、複数のリール62の変動表示を開始させる役割との２つの役割を有している。
さらに、本発明によれば、既に賭け数が設定されているような場合（具体的には、例えば、前回遊技で再遊技役（リプレイ役）に係る図柄61の組み合わせが有効ライン86上に停止表示することで既に今回遊技で賭け数が設定されているような場合）であっても、スタートスイッチ40の操作が２回必要となることがない。これにより、従来よりも操作回数が増えずに、従来遊技に慣れ親しんだ遊技者にとって嫌悪感を引き起こすこともない。
すなわち、３枚賭けの遊技を行う場合や、再遊技役（リプレイ役）に係る図柄61の組み合わせが所定態様に停止表示した遊技の後の遊技を行う場合においては、従来遊技での操作性を継承し、かつ、２枚賭けの遊技を行う場合の操作性を改善することができる。
【００１２】
本発明によれば、遊技者にとって慣れ親しんだスタートスイッチ40を繰り返し操作することで賭け数設定とリール62の変動表示の開始という連続した遊技の操作処理をテンポよくリズムに乗って操作することができ、遊技意欲を増加させることができる。
すなわち、ベットスイッチ32等のハード構成に変更を加えることなく、３枚賭けの遊技と、再遊技役（リプレイ役）に係る図柄61の組み合わせが所定態様に停止表示した遊技の後の遊技とにおける操作性を慣れ親しんだ従来遊技から維持することができる。それに加えて、３枚賭けの遊技を行う場合と２枚賭けの遊技を行う場合と切り替えるための操作を簡易かつ明確なものとすることができる。
【００１３】
なお、上記「前記スタートスイッチ40の操作が行われたときに、少なくとも前記第１の賭け数又は前記第２の賭け数が設定されておらず前記複数のリール62の前記変動表示が実行されなかった場合、前記スタートスイッチ40の操作による前記第２の賭け数の設定を実行可能にし、」における「少なくとも」は、「前記第１の賭け数又は前記第２の賭け数が設定されて」に係るものであり、第１の賭け数、第２の賭け数だけに限定されるものではなく、他の賭け数を含んでもよいことを意味するものである。
【００１４】
具体的には、例えば、３枚賭け（第１の賭け数）や、２枚賭け（第２の賭け数）だけではなく、１枚賭け（第３の賭け数）が設定可能であるような場合に、１枚賭け（第３の賭け数）も設定されておらずリール62の変動表示が実行されなかった場合を含むものである。
また、同様に、「前記スタートスイッチ40の操作が行われたときに、少なくとも前記第１の賭け数又は前記第２の賭け数が設定されている場合、前記複数のリール62の前記変動表示を実行した後、前記スタートスイッチ40の操作による前記第２の賭け数の設定を実行しない」における「少なくとも」は、「前記第１の賭け数又は前記第２の賭け数が設定されて」に係るものであり、第１の賭け数、第２の賭け数だけに限定されるものではなく、他の賭け数を含んでもよいことを意味するものであって、具体的には、例えば、３枚賭け（第１の賭け数）や、２枚賭け（第２の賭け数）だけではなく、１枚賭け（第３の賭け数）が設定可能であるような場合に、１枚賭け（第３の賭け数）が設定されていてリール62の変動表示が実行された場合を含むものである。
本発明は、第１の賭け数が３枚賭けであり、第２の賭け数が２枚賭けとなるものが含まれる。また、本発明は、第１の賭け数が２枚賭けであり、第２の賭け数が３枚賭けとなるものが含まれる。
【００１５】
また、本発明に係る遊技機10は、さらに、前記制御手段は、前記スタートスイッチ40の操作により前記第２の賭け数が設定され、さらに、前記ベットスイッチ32（具体的には例えばマックスベットスイッチ34）の操作が行われた場合、設定された前記第２の賭け数（例えば２枚）を前記第１の賭け数（例えば３枚）に変更することを特徴とする。
【００１６】
本発明によれば、スタートスイッチ40の操作により第２の賭け数が設定され、さらに、ベットスイッチ32の操作が行われた場合、設定された第２の賭け数を第１の賭け数に変更することができる。
例えば、未だ賭け数が設定されていない状態において、スタートスイッチ40の１回目の操作で第２の賭け数が設定され、その後のスタートスイッチ40の２回目の操作で、第２の賭け数が設定された状態におけるリール62の変動表示を開始させることができる。
また、例えば、未だ賭け数が設定されていない状態において、スタートスイッチ40の１回目の操作で第２の賭け数が設定され、その後のベットスイッチ32の操作で、賭け数を、第２の賭け数から第１の賭け数に変更することができる。そして、更に、スタートスイッチ40の操作をすることで、第１の賭け数の状態におけるリール62の変動表示を開始させることができる。
このように、遊技者にしてみれば、スタートスイッチ40と、ベットスイッチ32という２種類の慣れ親しんだ操作スイッチだけを操作することで、簡単に賭け数の変更を実行することができ、テンポよくリズムに乗って遊技を進行させることができる。結果として遊技意欲を増加させることができる。
【００１７】
また、本発明に係る遊技機10は、さらに、前記スタートスイッチ40の操作により前記第２の賭け数が設定されて遊技を実行した場合には、前記ベットスイッチ32の操作により前記第１の賭け数が設定されて遊技を実行した場合よりも遊技者にとって有利な結果が得られる可能性が高い第１の遊技状態（具体的には、例えばＲＴ２又はＲＴ３）と、前記ベットスイッチ32の操作により前記第１の賭け数が設定されて遊技を実行した場合には、前記スタートスイッチ40の操作により前記第２の賭け数が設定されて遊技を実行した場合よりも遊技者にとって有利な結果が得られる可能性が高い第２の遊技状態（具体的には例えばＲＴ４又はＲＴ５）とを備えることを特徴とする。
【００１８】
本発明によれば、第１の遊技状態では、第２の賭け数が設定されている方が第１の賭け数が設定されているよりも遊技者にとって有利な結果が得られる可能性が高い。
また、第２の遊技状態では、第１の賭け数が設定されている方が第２の賭け数が設定されているよりも遊技者にとって有利な結果が得られる可能性が高い。
このように、遊技者にとって有利な結果が得られる可能性が高い賭け数が第１の遊技状態と第２の遊技状態とでは、互い違いになっていることで、有利な遊技状態を享受するためには、遊技状態の相違により賭け数を変更することが必要となる。これにより、賭け数の異なる遊技状態への参加意欲を増加させることができ、変化に富んで、意外性を有し、興趣に富むものにすることができる。
【００１９】
さらに、本発明では、第１の遊技状態では、スタートスイッチ40の操作により第２の賭け数が設定されて遊技を実行した場合には、ベットスイッチ32の操作により第１の賭け数が設定された遊技を実行した場合よりも遊技者にとって有利な結果が得られる可能性が高くなる。
また、第２の遊技状態では、ベットスイッチ32の操作により第１の賭け数が設定されて遊技を実行した場合には、スタートスイッチ40の操作により第２の賭け数が設定されて遊技を実行した場合よりも遊技者にとって有利な結果が得られる可能性が高くなる。
すなわち、第１の遊技状態では、賭け数の設定においてスタートスイッチ40の操作の方が、ベットスイッチ32の操作よりも有利となり、一方、第２の遊技状態では、賭け数の設定においてベットスイッチ32の操作の方がスタートスイッチ40の操作よりも有利となる。
第１の遊技状態と、第２の遊技状態とで、有利な状態を獲得するために賭け数の変更が必要となり、この賭け数の変更をスタートスイッチ40の操作とベットスイッチ32の操作との変更により行うことができる。
【００２０】
賭け数の変更を行うのに、マックスベットスイッチ34や従来の遊技機でいうところのシングルベットスイッチ等のように複数種類のベットスイッチ32を操作して行おうとしても、通常、それらのスイッチは同一種類で形態も似たものが一般的であり、取り付け位置も隣接した略同位置にあるものが多いのが通常である。それに対して、スタートスイッチ40と、ベットスイッチ32とでは、例えば、押しボタン式とレバー押下式とで操作形態も異なり、取り付け位置も例えば操作部30の上面と正面側とで全く異なるようなものが多く、それらを間違える可能性は少ない。
すなわち、スタートスイッチ40とベットスイッチ32との区別は、明らかに位置や形態が異なり間違い難くすることが可能となる。
結果として、ベットスイッチ32の種類の異なるものを切り替えて操作することと、スタートスイッチ40及びベットスイッチ32の異なる操作スイッチを切り替えることとでは、明らかにスタートスイッチ40とベットスイッチ32とを切り替える方が操作の間違いや混同を抑えることができ、確実な操作が可能となる。
【図面の簡単な説明】
【００２１】
【図１】本発明の実施の形態であって、遊技機を示す外観正面図である。
【図２】本発明の実施の形態であって、各リールに設けてある図柄の配置を示す図柄テーブルを示す説明図である。
【図３】本発明の実施の形態であって、（Ａ）は３枚賭けにおける有効ライン、（Ｂ）は２枚賭けにおける有効ラインを示す説明図である。
【図４】本発明の実施の形態であって、遊技機の入力、制御及び出力を示すブロック図である。
【図５】本発明の実施の形態であって、メイン制御手段を示すブロック図である。
【図６】本発明の実施の形態であって、サブ制御手段を示すブロック図である。
【図７】本発明の実施の形態であって、各役の図柄組み合わせや、払出枚数等を示す図である。
【図８】本発明の実施の形態であって、遊技状態毎の抽選対象を示す図である。
【図９】本発明の実施の形態であって、ＲＴ０における抽選値（分数で示される当選確率の分母６５５３６に対する分子の数値、以下同様）及び当選確率を示す図である。
【図１０】本発明の実施の形態であって、ＲＴ１における抽選値及び当選確率を示す図である。
【図１１】本発明の実施の形態であって、ＲＴ２における抽選値及び当選確率を示す図である。
【図１２】本発明の実施の形態であって、ＲＴ３における抽選値及び当選確率を示す図である。
【図１３】本発明の実施の形態であって、ＲＴ４及びＲＴ５における抽選値及び当選確率を示す図である。
【図１４】本発明の実施の形態であって、ＲＴ６〜ＲＴ１０における抽選値及び当選確率を示す図である。
【図１５】本発明の実施の形態であって、ＲＢＢ１〜ＲＢＢ３における抽選値及び当選確率を示す図である。
【図１６】本発明の実施の形態であって、遊技状態の説明図である。
【図１７】本発明の実施の形態であって、（１）〜（９）は遊技の流れの一例を示す説明図である。
【図１８】本発明の実施の形態であって、図１７の（４）〜（９）の遊技の流れの一例を示す説明図である。
【図１９】本発明の実施の形態であって、（Ａ）は遊技の流れの一例を示す説明図、（Ｂ）はそのときの表示装置の表示内容を示す外観正面図である。
【図２０】本発明の実施の形態であって、（Ａ）は遊技の流れの一例を示す説明図、（Ｂ）はそのときの表示装置の表示内容を示す外観正面図である。
【図２１】本発明の実施の形態であって、（Ａ）は遊技の流れの一例を示す説明図、（Ｂ）はそのときの表示装置の表示内容を示す外観正面図である。
【図２２】本発明の実施の形態であって、（Ａ）は遊技の流れの一例を示す説明図、（Ｂ）はそのときの表示装置の表示内容を示す外観正面図である。
【図２３】本発明の実施の形態であって、（Ａ）は遊技の流れの一例を示す説明図、（Ｂ）はそのときの表示装置の表示内容を示す外観正面図である。
【図２４】本発明の実施の形態であって、メイン制御手段が遊技中に実行する一般的な制御処理を示すフローチャートである。
【図２５】本発明の実施の形態であって、図２４のステップ１５３の遊技開始前処理を示すフローチャートである。
【図２６】本発明の実施の形態であって、（Ａ）は図２５のステップ２１３の回転開始判定処理、（Ｂ）は図２５のステップ２１４の２ＢＥＴ判定処理をそれぞれ示すフローチャートである。
【図２７】本発明の実施の形態であって、（Ａ）は図２５のステップ２１７のＭＡＸＢＥＴ処理（マックスベット処理）、（Ｂ）は図２５のステップ２１９の２ＢＥＴ処理（２ベット処理）、（Ｃ）はメダル投入口からのメダルの手投入（手入れ）されたときの処理をそれぞれ示すフローチャートである。
【発明を実施するための形態】
【００２２】
本明細書では、各説明箇所において、方向についての定義等が示されていない場合には、遊技機10の正面に向かって位置している遊技者、すなわち、当該遊技機10の前に設置してある椅子に座っている遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技機10の前に座っている遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００２３】
本実施の形態に係る遊技機10としてのスロットマシンを、以下、図１及び図４を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００２４】
前扉14の上部には、薄板樹脂からなる上パネル20を備えている。この上パネル20の略中央には、３個のリール62（正面から向かって左側の左リール64、中央の中リール66、右側の右リール68）の円周上の図柄61を見ることができる透過可能な図柄表示窓部16が形成されている。この図柄表示窓部16は、３個全てのリール62の回転が停止した際には、縦３列横３行に配置した合計９個の図柄61を遊技者に見せるように形成されている。この図柄表示窓部16は、リール62の正面側に設けられて、リール62の回転が停止した際、後述する有効ライン86上に停止している複数の図柄61を視認するためのものである。リール62は、複数の図柄61を図柄表示窓部16を介して変動表示可能なものである。
【００２５】
前記図柄表示窓部16の後方向（奥方向）には、３個のステッピングモータ65と、この各ステッピングモータ65によってそれぞれ回転させられる合計３個の前記リール62と、前記ステッピングモータ65及び前記リール62を保持するユニットホルダ（図示せず）とを有するリールユニット60が配置されている。また、リールユニット60には、リール62の回転位置が基準となる位置（基準位置）であることを検出するためのリール位置センサ63が設けられている。このステッピングモータ65は、後述するメイン制御手段200から出力されるステッピングモータ65を駆動するための駆動信号に基づき駆動する。
【００２６】
前記図柄表示窓部16の下方には、クレジットメダルの貯留枚数であるクレジットメダル枚数を表示するクレジット表示器87と、このクレジット表示器87の左側に配置され、遊技機10から払い出されたメダルの総数を表示する払出枚数表示器88とが設けられている。これらの表示器は、２個の７セグメントＬＥＤ表示器で構成されている。７セグメントＬＥＤ表示器は、１０進法のアラビア数字等の１文字を表現するために、それぞれ個別に点灯・消灯が可能な７つのセグメント（ＬＥＤ）から構成されているものである。２個の７セグメントＬＥＤ表示器を有することにより、クレジット表示器87は２桁の貯留枚数、払出枚数表示器88は２桁の払出枚数が表示可能になっている。
【００２７】
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル枚数とする。
前記操作部30の上面右側には、遊技媒体としてのメダルを投入するためのメダル投入口38が設けられている。
【００２８】
筐体12内部であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検出する投入センサ92が設けられている。なお、この投入センサ92は、３つのセレクターセンサ（図示せず）が通路に設けられている。投入されたメダルは、３つのセレクターセンサの順序及び所定の範囲の時間の間隔（タイミング）で検知するように配置されている。
【００２９】
なお、筐体12内部には図示しないメダル通路が設けられており、メダルセレクタ17において非正規のメダルとして排除されたメダルや、ホッパーユニット24から払い出されたメダルが、このメダル通路を通過して後述するメダル払出口28から払い出される。
具体的には、メダルセレクタ17には、特に図示していないが、電磁石を用いたキャンセルコイルの作動により、メダル投入口38から投入されたメダルをホッパーユニット24内に貯留させる通路と、メダル払出口28から後述するメダル受け皿26へ進ませる通路との切り換えが可能に形成されている。これにより、メダル投入口38から投入されたメダルをクレジットメダルとして貯留するか、メダル受け皿26へ払い出すかの切り換えをすることができる。
【００３０】
メダル投入口38の下方には、クレジット機能によりクレジットしたメダルの全てを払い出すための精算スイッチ36が設けられている。
【００３１】
前記操作部30の中央には、操作により対応するリール62の回転を停止させるため、３個のリール62のそれぞれに対応する３個のストップスイッチ50が設けられている。このストップスイッチ50は、左リール64を停止させるための左ストップスイッチLと、中リール66を停止させるための中ストップスイッチCと、右リール68を停止させるための右ストップスイッチRとを有している。すなわち、これらのストップスイッチ50は、複数のリール62それぞれに対応して設けられ、複数のリール62の図柄61の変動表示の開始後、遊技者の操作によりリール62の図柄61の変動表示を個別に停止させるためのものである。
【００３２】
このストップスイッチ50の左側には、メダルの投入又は後述するベットスイッチ32の操作を条件にリール62の回転を開始させるためのスタートスイッチ40が設けられている。すなわち、このスタートスイッチ40は、遊技者の操作によりリール62の図柄61の変動表示を開始させるためのものである。
【００３３】
本実施の形態では、１回の遊技に使用する遊技媒体としてのメダルの賭け数として複数種類の賭け数が設定可能である。
また本実施の形態では、後述するＲＴ２やＲＴ４では、規定数として２又は３が設定されており、遊技者はこれらの遊技状態では賭け数２又は賭け数３で遊技を行うことができるものである。
ここで、「規定数」とは、遊技機10を作動させるため投入をする必要がある遊技メダル等の数を意味する。また、「賭け数」とは、いわゆるベット数であって、遊技者が賭けたメダルの数を意味する。例えば、規定数として２〜３が定められている遊技状態では、賭け数２、賭け数３のいずれでも遊技ができるものである。
【００３４】
このスタートスイッチ40の上方には、ベットスイッチ32として、貯留されたメダル枚数（クレジットされたメダル枚数）から最大投入枚数（具体的には３枚）に達するまでのメダル枚数を貯留されたクレジットメダル枚数から減じて３枚のメダル投入に代えるマックスベットスイッチ34と、クレジットメダル枚数から投入枚数２枚に達するまでのメダル枚数を貯留されたクレジットメダル枚数から減じて２枚のメダル投入に代える２ベットスイッチ35とが設けられている。
【００３５】
本実施の形態では、スタートスイッチ40の操作が行われたときに、第１の賭け数（３枚賭け）又は第２の賭け数（２枚賭け）が設定されておらず３個のリール62の回転が実行されなかった場合、当該スタートスイッチ40の操作による第２の賭け数（２枚賭け）の設定が実行される。
また、スタートスイッチ40の操作が行われたときに、第１の賭け数（３枚賭け）又は第２の賭け数（２枚賭け）が設定されている場合、３個のリール62の回転を実行した後、スタートスイッチ40の操作による第２の賭け数の設定を実行しない。
【００３６】
すなわち、本実施の形態では、遊技可能な賭け数が設定されていない状態において、スタートスイッチ40の操作により、第２の賭け数としての２枚賭けが設定されるものであって、クレジットメダル枚数から投入枚数２枚に達するまで投入可能なメダル枚数を貯留されたクレジットメダル枚数から減じて２枚のメダル投入に代えることが実行可能に設定されている。
【００３７】
このスタートスイッチ40の操作が行われたときに遊技可能な賭け数が設定されているとき、すなわち、３枚賭け（３枚投入）又は２枚賭け（２枚投入）が賭け数として既に設定されている場合には、３個のリール62の回転開始が実行され、上述したような２枚投入の設定をさらに加えて実行しないように形成されている。
遊技可能な賭け数が設定されていないとき、すなわち、３枚賭け又は２枚賭けが賭け数として未だ設定されていない場合には、スタートスイッチ40を操作すると、２枚賭けが設定され、さらに、この２枚賭けが設定されている状態でスタートスイッチ40を操作すると、リール62の変動表示（回転）を開始させることができる。
【００３８】
マックスベットスイッチ34の右側には、所定の演出において遊技者が操作可能なチャンスボタン42が設けられている。
本実施の形態では、後述するようにチャンスボタン42の操作により、第１の賭け数としての３枚賭けと、第２の賭け数としての２枚賭けとのいずれを設定するかに関する情報（以下、賭け数種別関連情報とも言う）を遊技者に対して報知手段としての演出装置70により報知可能となる。
前記前扉14の裏側には、扉開閉用スイッチ19、設定変更スイッチ46、設定表示器89などが配置されている（図４参照）。
【００３９】
扉開閉用スイッチ19は、筐体12側に設置されているものであって、前扉14が閉じているか否かを検知するための扉センサである。この扉開閉用スイッチ19は、前扉14が閉塞している場合に、前扉14の背面と扉開閉用スイッチ19の前面とが近接することで接触センサによりオン状態（ＯＮ状態）となり、前扉14が開放するに従って、前扉14の背面が扉開閉用スイッチ19の前面から離間して接触センサによりオフ状態（ＯＦＦ状態）となる。もちろん、接触センサに限定されるものではなく、光センサや磁気センサ等により前扉14の開閉を検知するようにしてもよい。
設定変更スイッチ46は、後述する電源ユニット43の設定キースイッチ45とともに設定変更を行うためのものである。なお、この設定変更スイッチ46は、前扉14の背面に設けられているが（特に図示せず）、後述するリセットスイッチとしても兼用される。
【００４０】
設定表示器89は、７セグメントの小型のＬＥＤにより、当選確率の後述する設定値を設定する際に、当該設定値を表示するものである。設定表示器89には、当該遊技機10の設定値が表示されるが、外部から視認できないようにすべく、筐体12の内部、詳しくは、前扉14の背面に設けられており、設定値の設定後、その表示は解除される。
【００４１】
前記前扉14の下部に相当する筐体12の内部には、メダルを貯留することができるとともに、メダルを払い出すことができるホッパーユニット24と、各部品に電力を供給するための電源ユニット43とが配置されている（図４参照）。
この電源ユニット43には、電源投入又は電源遮断のための操作が可能な電源スイッチ44と、設定変更処理のための設定キースイッチ45とが設けられている。
【００４２】
このホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出して後述するメイン制御手段200へ信号を出力するオーバーフローセンサ96とが設けられている。
【００４３】
なお、特に図示していないが、払出センサ94は、払出センサＡと、払出センサＢとの２つが所定距離を開けて配置されてある。正常な状態でのメダル通過時のタイミングチャートでは、ホッパーモータ95が駆動中（オン状態）のときに、両センサがオン状態に移行可能になっている。
【００４４】
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル枚数が最大クレジットメダル枚数である５０枚未満の場合は、５０枚に到達するまで、獲得したメダルはメダル払出口28から払い出されずにクレジットメダル枚数に加算される。
【００４５】
本実施の形態に係る遊技機10は、マックスベットスイッチ34や２ベットスイッチ35の操作又はメダル投入により所定枚数（具体的には、３枚又は２枚）のメダルを投入することにより遊技の開始を可能とするものである。そして、スタートスイッチ40の押下操作により、リール62の回転を開始させて遊技が開始されるとともに、複数の役のいずれかに当選か又はハズレかの役抽選が行われる。そして、当該遊技機10は、各リール62に対応するストップスイッチ50の操作タイミング及び役抽選の結果に基づいて、リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００４６】
この有効ライン86は、具体的には３個のリール62にそれぞれ表示されている図柄61のうち図柄表示窓部16から視認可能な図柄61を各リール62につき１個ずつ繋いでできる、複数のリール62の全てを貫くライン（途中で折れ曲がりも可）のうち、入賞等するために有効となる図柄61の組み合わせの並びを規定したラインである。このラインは、規定の賭け数（予め定められた数であって本実施の形態では３又は２）のメダルをベットすることにより有効ライン86になる。
【００４７】
図３（Ａ）に示すように、３枚賭けのときの有効ライン86は、左リール64の上段と、中リール66の上段と、右リール68の上段とを結んだ上段ラインと、左リール64の上段と、中リール66の中段と、右リール68の下段とを結んだ右下がりラインと、左リール64の中段と、中リール66の中段と、右リール68の中段とを結んだ中段ラインと、左リール64の下段と、中リール66の中段と、右リール68の上段とを結んだ右上がりラインと、左リール64の下段と、中リール66の下段と、右リール68の下段とを結んだ下段ラインとの合計５本からなる。
【００４８】
図３（Ｂ）に示すように、２枚賭けのときの有効ライン86は、左リール64の上段と、中リール66の上段と、右リール68の上段とを結んだ上段ラインと、左リール64の中段と、中リール66の中段と、右リール68の中段とを結んだ中段ラインと、左リール64の下段と、中リール66の上段と、右リール68の上段とを結んだ右上がり折れ曲がりラインとの合計３本からなる。
【００４９】
図２に示すように、左リール64、中リール66及び右リール68の表面には、「リプレイ、スイカ、ベル、黒ＢＡＲ、白ＢＡＲ、チェリー１、チェリー２、赤７、青７、黒７」の複数の種々の図柄61が形成されている。
これらの図柄61は、それぞれの絵柄がプリントされたテープをリール62の外周表面に貼付することで形成されている。なお、図２の図柄61の番号（コマ番号０〜２０）は、リール62の外周表面に物理的に付されているものではなく、仮想的な番号であって、各図柄61の停止を制御するためのプログラムで特定の図柄61を指定するためのものである。
【００５０】
前記前扉14には、遊技者に役抽選の当選等の種々の情報を音や光や映像等で報知させるための演出装置70が形成されている。この演出装置70は、後述するサブ制御手段400に基づいて演出を行うものであって、スピーカー72と、演出用ランプ78と、表示装置84とを備えている。
【００５１】
前記スピーカー72は、前扉14の上部左右に配置された上部スピーカー74と、前扉14の下部左右に配置された下部スピーカー76とを備えている。
【００５２】
前記演出用ランプ78は、前扉14の上部に配置された上部ランプ80と、前扉14の下部の左右に配置された下部ランプ82とを備えている。
【００５３】
前記表示装置84は、その画面に種々の映像を表示するための液晶表示装置である。
【００５４】
図４に示すように、遊技機10の内部には、遊技機10の全体の動作を制御するための制御装置100が形成されている。この制御装置100は、遊技を進行させて遊技状態（遊技の進行）を制御するメイン制御手段200（メイン制御基板や、メイン制御装置ともいう）と、このメイン制御手段200から送信される情報（コマンド）を受けて、遊技の進行に応じた演出を制御し、主に遊技内容に関する情報を遊技者に報知する演出を行うための制御を行うサブ制御手段400（サブ制御基板や、サブ制御装置ともいう）とを備えている。
【００５５】
なお、メイン制御手段200とサブ制御手段400との間は、メイン制御手段200への不正操作を防止するために、メイン制御手段200からサブ制御手段400への一方向の通信により行われ、サブ制御手段400からメイン制御手段200への逆方向の通信は行われていない（すなわち双方向の通信ではない）。メイン制御手段200は、投入センサ92、ベットスイッチ32、スタートスイッチ40、ストップスイッチ50、設定変更スイッチ46、精算スイッチ36、扉開閉用スイッチ19、電源スイッチ44、設定キースイッチ45、リール位置センサ63、払出センサ94、オーバーフローセンサ96の入力を受け付け、リールユニット60、ホッパーユニット24、外部集中端子板18、設定表示器89、クレジット表示器87及び払出枚数表示器88の作動を制御する。サブ制御手段400は、チャンスボタン42、メイン制御手段200から信号を入力し、表示装置84等の演出装置70の作動を制御する。サブ制御手段400の出力側には、演出装置70としての表示装置84、スピーカー72、演出用ランプ78の各パーツが接続されている。
【００５６】
なお、特に図示していないが、メイン制御手段200を有するメイン制御基板と、サブ制御手段400を有するサブ制御基板とは、それぞれ専用の基板ケースの内部に収納されている。具体的には、メイン制御手段200のメイン制御基板は、メイン基板ケースの内部に収納され、サブ制御手段400のサブ制御基板は、サブ基板ケースの内部に収納されている。そして、メイン基板ケースは、筐体12内部の奥側の上部に固定され、サブ基板ケースは、筐体12内部の正面から向かって左側に固定されている。
【００５７】
メイン制御手段200及びサブ制御手段400は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５８】
本実施の形態に係る遊技機10では、通常に行われるノーマル遊技が設けられている。このノーマル遊技よりも再遊技役（リプレイ役）の当選の確率が高く（或いは低く）設定されているリプレイタイム（ＲＴ）遊技が設けられている。さらに、メイン制御手段200では、ボーナス移行役に入賞することにより実行されるボーナス遊技が設けられている。これらの遊技は、メイン制御手段200により制御される。
【００５９】
また、本実施の形態では、前記リプレイタイム（ＲＴ）遊技が可能なリプレイタイム（ＲＴ）状態が設けられている。
【００６０】
また、筐体12内部の正面から向かって右側には、外部集中端子板18が設けられている。
外部集中端子板18は、遊技データを遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ機器）や遊技ホールのホール管理者が管理するホールコンピュータに接続されている。
なお、外部集中端子板18は、次の情報に関する信号を出力しているものである。
（１）メダル投入に関する情報
（２）メダル払出に関する情報
（３）ボーナス遊技に関する情報
（４）エラーに関する情報
（５）設定値の変更の有無に関する情報
（６）前扉14の開閉状態に関する情報
【００６１】
図５に示すように、メイン制御手段200は、役抽選手段210、リール制御手段220、停止図柄判定手段230、払出制御手段240、遊技制御手段250及び送信手段300の各手段を有する。各手段の詳細については後述する。なお、上述した手段は、メイン制御手段200ではなく、サブ制御手段400が有することも可能であり、又、メイン制御手段200とサブ制御手段400との両方に分けて有することも可能である。
【００６２】
以上の構成をもって、メイン制御手段200は、役の抽選を行い、リール62の回転及び停止を制御し、リール62が全て停止したときに停止図柄の判定を行い、遊技の進行を行う手段として機能することとなる。
メイン制御手段200は、遊技を制御するためのものであって、遊技を進行させるためのものである。以下、本実施の形態における遊技について説明する。
【００６３】
規定の賭け数（３枚又は２枚）が設定されると、所定本数の有効ライン86（図３参照）が設定される。
本実施の形態に係る遊技機10は、第１の賭け数としての３枚賭けの場合には、既に説明したように５本の有効ライン86が設定され、第２の賭け数としての２枚賭けの場合には、３本の有効ライン86が設定される。賭け数を設定する方法には、メダル投入口38からメダルを投入する方法と、マックスベットスイッチ34又は２ベットスイッチ35を操作することによってクレジットメダルを賭け数として設定する方法とがある。
【００６４】
さらに、本実施の形態では、所定の条件を満たしているときにスタートスイッチ40の操作をすることでクレジットメダルを賭け数として設定することができる。
【００６５】
具体的には、スタートスイッチ40の操作が行われたときに、第１の賭け数としての３枚賭け又は第２の賭け数としての２枚賭けが設定されておらず３個のリール62の回転が実行されなかった場合、当該スタートスイッチ40の当該操作による第２の賭け数としての２枚賭けの設定を実行することが可能に設定されている。
【００６６】
ここで、本実施の形態では、３枚賭け又は２枚賭けが可能であるため、上記のようなスタートスイッチ40操作による賭け数の設定には「３枚賭け又は２枚賭けが設定されておらず」が条件となっているが、これは、「少なくとも３枚賭け又は２枚賭けが設定されていない」ことが条件となるものであって、例えば、仮に１枚賭けで遊技が可能に設計されているような場合には、上記の代わりに「３枚賭け、２枚賭け又は１枚賭けのいずれも設定されておらず」が条件となることになる。すなわち、賭け数が設定されてなくてリール62の回転が開始されるための条件が成立していないことが要件となるものである。
【００６７】
さらに、また、上述したように、スタートスイッチ40の操作により、２枚賭けが設定されるものであるが、必ずしもこれに限定されるものではない。例えば、スタートスイッチ40の操作により、３枚賭けが設定されるようにしてもよいものであり、さらに、１枚賭けを有しているような場合には、スタートスイッチ40の操作により、１枚賭けが設定されるようにしてもよい。
【００６８】
また、本実施の形態では、スタートスイッチ40の操作が行われたときに、「第１の賭け数としての３枚賭け又は第２の賭け数としての２枚賭けが設定されている場合」、３個のリール62の回転が実行され、「その後、当該スタートスイッチ40の当該操作による第２の賭け数としての２枚賭けの設定は実行されない」ように形成されている。
具体的には、例えば、ステップ２１２（図２５参照）において、スタートスイッチ40が操作されて、本実施の形態のように、ステップ２６０での判定結果に関わらずステップ２７０に進み、ステップ２７０でステップ２７１の２ＢＥＴ処理に進むか否かを判定することで実現できる。
一方、ステップ２６０での判定の結果、ステップ２６１へ進み、回胴起動処理を行った場合はステップ１５４へ進むことで２ＢＥＴ処理を通らないようにすることでも実現できる。この場合、ステップ２６０でＮＯと判定され回転開始判定処理を終えると２ＢＥＴ処理が可能か否かの判定処理を介することなくステップ２７１の２ＢＥＴ処理を行うようにすることもできる。すなわち、ステップ２７０は不要でステップ２７１だけでも良く、換言するとステップ２１４に代えてステップ２７１とすることができる。これにより、一層処理を簡略化できる。
【００６９】
さらに、上記では、「その後、当該スタートスイッチ40の当該操作による第２の賭け数としての２枚賭けの設定は実行されない」とあるが、この「第２の賭け数としての２枚賭け」に限定されるものではなく、上述したスタートスイッチ40の操作による賭け数が２枚賭けであるため、それに対応しているものであって、スタートスイッチ40による賭け数の設定が仮に３枚賭けである場合には、上記記載も「３枚賭けの設定は実行されない」ものとなるものであり、また、仮に、スタートスイッチ40による賭け数の設定が仮に１枚賭けである場合には、上記記載も「１枚賭けの設定は実行されない」ものとなるものである。
【００７０】
そして、賭け数（３枚又は２枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技でのリール62の回転開始時から所定の時間（いわゆるウェイト時間（期間）であって、本実施の形態では、４．１秒）が経過しているか否かが判定され、所定の時間が経過すると、３個全てのリール62の回転が開始する。
【００７１】
リール62の回転開始後、所定の条件（本実施の形態では、リール62を加速する処理を実行した後、所定のセンサによりリール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応したリール62の回転が停止する。そして、３個すべてのストップスイッチ50の操作を終えると、３個すべてのリール62の回転が停止する。
このとき、有効ライン86上に所定の図柄61の組み合わせが揃うと、当該図柄61の組み合わせに対応した処理が行われる。本実施の形態に係る遊技機10は、有効ライン86上に予め定められた図柄61の組み合わせが揃うと遊技者に利益が付与されるように形成されている。
【００７２】
役抽選手段210は、メイン制御手段200が備える手段であり、スタートスイッチ40の操作を契機に、複数の役のいずれかに当選か又はハズレかの抽選（役抽選）を行うためのものである。
役抽選手段210は、役に当選したか否かを決定するための抽選テーブルを、設定値及び遊技状態（ノーマル遊技、ボーナス遊技、ボーナス内部中遊技、リプレイタイム遊技）にそれぞれに対応して複数備えており、メイン制御手段200のＲＯＭ上に記憶している。
役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
【００７３】
役抽選手段210の役抽選に用いる当選確率は、所定の役抽選テーブルにより、予めプログラムされた範囲内で遊技ホールの管理者により変更可能に形成されている。具体的には、その当選確率を規定するための値である設定値を変更するための筐体12内部の設定キースイッチ45を操作することにより、複数の設定値のうちいずれか１つの特定の設定値を選択することで前記当選確率の変更が可能となる。
【００７４】
本実施の形態では、役では、原則として設定値の数値が高くなるほど、当選確率が高くなって遊技者に対して有利になり得るように規定されている。
【００７５】
なお、これらの役では、設定値の数値が高くなるほど、全ての役の当選確率が必ずしも高くなることに限定されるものではなく、設定値の数値が高くなるほど、一部の役の当選確率は高くなるが、他の一部の役の当選確率は同一であってもよい。さらに、設定値の数値が高くなるほど、他の一部の役の当選確率は、低くなるが、全ての役全体として遊技者の利益を考慮すると遊技者に対して有利となるように設定されているようなものでもよい。
【００７６】
また、設定値は、本実施の形態では、設定値１〜６の６段階に設定されているが、特にこれに限定されるものではなく、例えば、設定値は「１・３・６」「２・４・６」「１・６」の様な複数の段階でもよく、また、１段階でもよいものである。
【００７７】
本実施の形態では、役抽選手段210により抽選される役には、大別すると、種別として、小役（メダルの払い出しを伴う役であって、例えばＢＥＬＬ役等）、再遊技（遊技者所有のメダルを使用することなく次回の遊技を開始可能とする役、例えば、ＮＲＰ役等）、ボーナス移行役（遊技状態の移行を伴う役、例えば、ＲＢＢ１役等）が設けられている。
【００７８】
つぎに、図７に示すように、役抽選手段210により抽選される役の種類と図柄の組み合わせについて説明する。
例えば、図７に示すように、ボーナス移行役（ＲＢＢ１）として、左リール64、中リール66、右リール68の順（以下同様）に「黒７、黒７、黒７」の図柄61の組み合わせの役、ボーナス移行役（ＲＢＢ２）として、「赤７、赤７、赤７」の図柄61の組み合わせの役、ボーナス移行役（ＲＢＢ３）として、「青７、青７、青７」の図柄61の組み合わせの役、ボーナス移行役（ＣＢＢ１）として、「赤７、赤７、青７」の図柄61の組み合わせの役、ボーナス移行役（ＣＢＢ２）として、「青７、青７、赤７」の図柄61の組み合わせの役が設けられている。
【００７９】
具体的には、例えば、３枚賭けの遊技において、ＲＢＢ１に係る図柄の組み合わせが有効ライン86上に停止すると、ＲＢＢ１に移行可能となる。その際、３枚賭けの遊技では、払出枚数は０枚であり、２枚賭けの遊技では、ボーナス移行役としての機能は無効となる。なお、１枚賭けの遊技は設定されていない。
また、本実施の形態では、ボーナス移行役当選以降に２枚賭けの場合、ボーナス移行役の図柄61の組み合わせが有効ライン86上に揃ってもボーナス遊技が作動しないようなっているが、特にこれに限定されるものではない。例えば、ボーナス移行役当選以降に２枚賭けのときは、リール制御手段220のリール制御でそもそもボーナス移行役の図柄61の組み合わせが有効ライン86上に揃わないように制御してもよい。
また、例えばＲＢＢ１によるボーナス遊技は、メダルの獲得枚数が３４５枚を超える払い出しで終了する。なお、ＲＢＢ１によるボーナス遊技中は規定数として「２」が定められているので２枚賭けの遊技となる。
【００８０】
また、図７に示すように、再遊技として、例えば、「リプレイ、リプレイ、リプレイ」の図柄61の組み合わせのＮＲＰ（通常リプレイ役）や、「リプレイ、リプレイ、ベル」の図柄61の組み合わせの再遊技役（ＲＴ４移行リプレイ役）としてのＴＲＰ１などが設けられている。
ここで、ＮＲＰは、通常リプレイ役であり、ＴＲＰ１は、ＲＴ４へ移行可能なＲＴ４移行リプレイ役であり、ＴＲＰ２やＴＲＰ３は、ＲＴ５へ移行可能なＲＴ５移行リプレイ役である。
【００８１】
再遊技役としてのＮＲＰや、ＴＲＰ１〜３に係る図柄61の組み合わせが有効ライン86上に停止すると、いずれも今回の遊技で用いられた賭け数と同数の賭け数が次回の遊技において設定される。すなわち、３枚賭けの遊技にて再遊技役に係る図柄61の組み合わせが有効ライン86上に停止すると、今回の遊技で用いられた３枚の賭け数と同様の３枚の賭け数が次回の遊技に設定され、新たにメダルを用いることなく次回の遊技を実行するができる。また、２枚賭けの遊技にて再遊技役に係る図柄61の組み合わせが有効ライン86上に停止すると、今回の遊技で用いられた２枚の賭け数と同様の２枚の賭け数が次回の遊技に設定され、新たにメダルを用いることなく次回の遊技を実行するができる。
【００８２】
また、図７に示すように、小役として、例えば、「ベル、ベル、ベル」の図柄61の組み合わせのＢＥＬＬ、「スイカ、スイカ、スイカ」の図柄61の組み合わせのＷＭ１、「スイカ、スイカ、白ＢＡＲ」の図柄61の組み合わせのＷＭ２、「チェリー１、ＡＮＹ、ＡＮＹ」の図柄61の組み合わせのＣＨ１等が設けられている。なお、ここで「ＡＮＹ」とは、いずれの図柄61でもよい記号である。
なお、役抽選手段210により抽選される役の種類と図柄の組合せについては、図７に示すものに限定されない。
【００８３】
つぎに、図８を用いて、当選役グループと遊技状態（図１６参照）毎の抽選対象について説明する。
図８は、予め定められた複数種類の当選役グループを示し、各当選役グループは、１つの役又は複数の役の組合せから構成される。
そして、役抽選手段210は、役抽選によりいずれかの当選役グループが当選するか否かを決定している。
【００８４】
そのため、当選役グループが複数の役から構成されている場合は、当選役グループの複数の役に同時に当選（重複して当選）していることとなる。また、役抽選の結果、いわゆる「ハズレ」は、いずれの当選役グループも当選しなかった場合を示している。
【００８５】
図８に示すように、当選役グループ「ＲＢＢ１」には、役「ＲＢＢ１」が含まれ、図１６を用いて後述する遊技状態が、３ＢＥＴ「ＲＴ０」（遊技状態がＲＴ０における３枚賭けを意味する。以下同様）、３ＢＥＴ「ＲＴ１」、３ＢＥＴ「ＲＴ２」、３ＢＥＴ「ＲＴ３」、３ＢＥＴ「ＲＴ４」、３ＢＥＴ「ＲＴ５」の場合に抽選される。
また、当選役グループ「ＴＲＰ１」には、役「ＴＲＰ１」が含まれ、図１６を用いて後述する遊技状態が、２ＢＥＴ「ＲＴ２」の場合に抽選される。
また、当選役グループ「ＴＲＰ２」には、役「ＴＲＰ２」及び役「ＴＲＰ３」が含まれ、図１６を用いて後述する遊技状態が、２ＢＥＴ「ＲＴ３」の場合に抽選される。
【００８６】
図９〜図１５を用いて、各遊技状態における当選役グループの設定値毎の抽選値及び当選確率について説明する。
なお、抽選値とは、本実施の形態では、当選確率（ｘ／６５５３６）のｘの数値であって、分数からなる当選確率の分母６５５３６の分子ｘの数値である。
図９に示すように、例えば、遊技状態が３ＢＥＴ「ＲＴ０」の場合で、設定値が「設定１」の場合は、当選役グループ「ＮＲＰ」が「８９７８／６５５３６」（約１／７．２９の当選確率）の確率で抽選され、設定値が「設定６」の場合は、「８９７８／６５５３６」（約１／７．２９の当選確率）の確率で抽選される。
同様に、例えば、遊技状態が３ＢＥＴ「ＲＴ０」の場合で、設定値が「設定１」の場合は、当選役グループ「ＢＥ」が「６０００／６５５３６」（約１／１１の当選確率）の確率で抽選され、設定値が「設定６」の場合は、「６５５３／６５５３６」（約１／１０の当選確率）の確率で抽選される。
【００８７】
図１０に示すように、例えば、遊技状態が３ＢＥＴ「ＲＴ１」の場合で、設定値が「設定１」の場合は、当選役グループ「ＮＲＰ」が「８９７８／６５５３６」の確率（約１／７．２９の当選確率）で抽選され、設定値が「設定６」の場合は、「８９７８／６５５３６」の確率（約１／７．２９の当選確率）で抽選される。
【００８８】
同様に、例えば、遊技状態が３ＢＥＴ「ＲＴ１」の場合で、設定値が「設定１」の場合は、当選役グループ「ＢＥ」が「６０００／６５５３６」の確率（約１／１１の当選確率）で抽選され、設定値が「設定６」の場合は、「６５５３／６５５３６」の確率（約１／１０の当選確率）で抽選される。
【００８９】
図１１に示すように、例えば、遊技状態が３ＢＥＴ「ＲＴ２」の場合で、設定値が「設定１」の場合は、当選役グループ「ＮＲＰ」が「８９７８／６５５３６」の確率（約１／７．２９の当選確率）で抽選され、設定値が「設定６」の場合は、「８９７８／６５５３６」の確率（約１／７．２９の当選確率）で抽選される。
【００９０】
同様に、例えば、遊技状態が３ＢＥＴ「ＲＴ２」の場合で、設定値が「設定１」の場合は、当選役グループ「ＴＲＰ１」が「０／６５５３６」の確率（当選確率０）で抽選され、設定値が「設定６」の場合は、「０／６５５３６」の確率（当選確率０）で抽選される。すなわち、３ＢＥＴ「ＲＴ２」では、「ＲＴ４」への移行リプレイ役であるＴＲＰ１の当選確率が０であるため、３ＢＥＴ「ＲＴ２」から「ＲＴ４」へ直接移行することはない。
【００９１】
同様に、例えば、遊技状態が３ＢＥＴ「ＲＴ２」の場合で、設定値が「設定１」の場合は、当選役グループ「ＢＥ」が「６０００／６５５３６」の確率（約１／１１の当選確率）で抽選され、設定値が「設定６」の場合は、「６５５３／６５５３６」の確率（約１／１０の当選確率）で抽選される。
【００９２】
また、図１１に示すように、例えば、遊技状態が２ＢＥＴ「ＲＴ２」の場合で、設定値が「設定１」の場合は、当選役グループ「ＴＲＰ１」が「６２２５８／６５５３６」の確率（約１／１．０５の当選確率）で抽選され、設定値が「設定６」の場合は、「６２２５８／６５５３６」の確率（約１／１．０５の当選確率）で抽選される。
【００９３】
同様に、例えば、遊技状態が２ＢＥＴ「ＲＴ２」の場合で、設定値が「設定１」の場合は、当選役グループ「ＢＥ」が「３２７７／６５５３６」の確率（約１／２０．００の当選確率）で抽選され、設定値が「設定６」の場合は、「３２７７／６５５３６」の確率（約１／２０．００の当選確率）で抽選される。
【００９４】
図１２に示すように、例えば、遊技状態が３ＢＥＴ「ＲＴ３」の場合で、設定値が「設定１」の場合は、当選役グループ「ＮＲＰ」が「８９７８／６５５３６」の確率（約１／７．２９の当選確率）で抽選され、設定値が「設定６」の場合は、「８９７８／６５５３６」の確率（約１／７．２９の当選確率）で抽選される。
【００９５】
同様に、例えば、遊技状態が３ＢＥＴ「ＲＴ３」の場合で、設定値が「設定１」の場合は、当選役グループ「ＴＲＰ２」が「０／６５５３６」の確率（当選確率０）で抽選され、設定値が「設定６」の場合は、「０／６５５３６」の確率（当選確率０）で抽選される。すなわち、３ＢＥＴ「ＲＴ３」では、「ＲＴ５」への移行リプレイ役であるＴＲＰ２の当選確率が０であるため、３ＢＥＴ「ＲＴ３」から「ＲＴ５」へ直接移行することはない。
【００９６】
同様に、例えば、遊技状態が３ＢＥＴ「ＲＴ３」の場合で、設定値が「設定１」の場合は、当選役グループ「ＢＥ」が「６０００／６５５３６」の確率（約１／１１の当選確率）で抽選され、設定値が「設定６」の場合は、「６５５３／６５５３６」の確率（約１／１０の当選確率）で抽選される。
【００９７】
また、図１２に示すように、例えば、遊技状態が２ＢＥＴ「ＲＴ３」の場合で、設定値が「設定１」の場合は、当選役グループ「ＴＲＰ２」が「６２２５８／６５５３６」の確率（約１／１．０５の当選確率）で抽選され、設定値が「設定６」の場合は、「６２２５８／６５５３６」の確率（約１／１．０５の当選確率）で抽選される。
【００９８】
同様に、例えば、遊技状態が２ＢＥＴ「ＲＴ３」の場合で、設定値が「設定１」の場合は、当選役グループ「ＢＥ」が「３２７７／６５５３６」の確率（約１／２０．００の当選確率）で抽選され、設定値が「設定６」の場合は、「３２７７／６５５３６」の確率（約１／２０．００の当選確率）で抽選される。
【００９９】
図１３に示すように、例えば、遊技状態が３ＢＥＴ「ＲＴ４又はＲＴ５」の場合で、設定値が「設定１」の場合は、当選役グループ「ＮＲＰ」が「５１８５０／６５５３６」の確率（約１／１．２６の当選確率）で抽選され、設定値が「設定６」の場合は、「５１８５０／６５５３６」の確率（約１／１．２６の当選確率）で抽選される。
【０１００】
同様に、例えば、遊技状態が３ＢＥＴ「ＲＴ４又はＲＴ５」の場合で、設定値が「設定１」の場合は、当選役グループ「ＢＥ」が「６０００／６５５３６」の確率（約１／１１の当選確率）で抽選され、設定値が「設定６」の場合は、「６５５３／６５５３６」の確率（約１／１０の当選確率）で抽選される。
【０１０１】
また、図１３に示すように、例えば、遊技状態が２ＢＥＴ「ＲＴ４又はＲＴ５」の場合で、設定値が「設定１」の場合は、当選役グループ「ＮＲＰ」が「８９７８／６５５３６」の確率（約１／７．２９の当選確率）で抽選され、設定値が「設定６」の場合は、「８９７８／６５５３６」の確率（約１／７．２９の当選確率）で抽選される。
【０１０２】
同様に、例えば、遊技状態が２ＢＥＴ「ＲＴ４又はＲＴ５」の場合で、設定値が「設定１」の場合は、当選役グループ「ＢＥ」が「３２７７／６５５３６」の確率（約１／２０．００の当選確率）で抽選され、設定値が「設定６」の場合は、「３２７７／６５５３６」の確率（約１／２０．００の当選確率）で抽選される。
【０１０３】
この３枚賭けのＲＴ４（３ＢＥＴ「ＲＴ４」）及び３枚賭けのＲＴ５（３ＢＥＴ「ＲＴ５」）では、再遊技役（リプレイ役）としてのＮＲＰの当選確率が１／１．２６に設定されて２枚賭けのＲＴ２（２ＢＥＴ「ＲＴ２」）や２枚賭けのＲＴ３（２ＢＥＴ「ＲＴ２」）よりも高確率である。
しかも、３枚賭けのＲＴ４（３ＢＥＴ「ＲＴ４」）及び３枚賭けのＲＴ５（３ＢＥＴ「ＲＴ５」）では、２枚賭けの遊技では当選確率が０になっているボーナス遊技への当選の可能性もある。
さらに、３枚賭けのＲＴ４（３ＢＥＴ「ＲＴ４」）及び３枚賭けのＲＴ５（３ＢＥＴ「ＲＴ５」）では、当選役グループ「ＢＥ」の確率も２枚賭けのＲＴ２（２ＢＥＴ「ＲＴ２」）や２枚賭けのＲＴ３（２ＢＥＴ「ＲＴ３」）よりも高確率となっており、２枚賭けのＲＴ２（２ＢＥＴ「ＲＴ２」）や２枚賭けのＲＴ３（２ＢＥＴ「ＲＴ３」）よりも遊技媒体としてのメダルを遊技者が多く獲得可能な遊技状態となっている。
【０１０４】
図１４に示すように、例えば、遊技状態が３ＢＥＴ「ＲＴ６〜ＲＴ１０」の場合で、設定値が「設定１」の場合は、当選役グループ「ＮＲＰ」が「２００００／６５５３６」の確率（約１／３．２７の当選確率）で抽選され、設定値が「設定６」の場合は、「２００００／６５５３６」の確率（約１／３．２７の当選確率）で抽選される。
【０１０５】
同様に、例えば、遊技状態が３ＢＥＴ「ＲＴ６〜ＲＴ１０」の場合で、設定値が「設定１」の場合は、当選役グループ「ＢＥ」が「６０００／６５５３６」の確率（約１／１１の当選確率）で抽選され、設定値が「設定６」の場合は、「６５５３／６５５３６」の確率（約１／１０の当選確率）で抽選される。
【０１０６】
また、図１４に示すように、例えば、遊技状態が２ＢＥＴ「ＲＴ６〜ＲＴ１０」の場合で、設定値が「設定１」の場合は、当選役グループ「ＮＲＰ」が「８９７８／６５５３６」の確率（約１／７．２９の当選確率）で抽選され、設定値が「設定６」の場合は、「８９７８／６５５３６」の確率（約１／７．２９の当選確率）で抽選される。
【０１０７】
同様に、例えば、遊技状態が２ＢＥＴ「ＲＴ６〜ＲＴ１０」の場合で、設定値が「設定１」の場合は、当選役グループ「ＢＥ」が「３２７７／６５５３６」の確率（約１／２０．００の当選確率）で抽選され、設定値が「設定６」の場合は、「３２７７／６５５３６」の確率（約１／２０．００の当選確率）で抽選される。
【０１０８】
図１５に示すように、例えば、遊技状態がＲＢＢ１〜３の場合で、３枚賭け（３ＢＥＴ）は設定されておらず、２枚賭け（２ＢＥＴ）のみであり、設定値が「設定１」の場合は、当選役グループ「ＲＢＢＡＬＬ」が「６５５３６／６５５３６」の確率（約１／１の当選確率）で抽選され、設定値が「設定６」の場合は、「６５５３６／６５５３６」の確率（約１／１の当選確率）で抽選される。
特に図示していないが、ＣＢＢ１〜２の場合は、３枚賭け（３ＢＥＴ）は設定されておらず、２枚賭け（２ＢＥＴ）のみであり、当該遊技中に全ての小役が当選状態となる。
【０１０９】
図５に示すリール制御手段220は、メイン制御手段200が備える手段であり、各リール62の回転を停止させるためのものである。リール制御手段220は、役抽選手段210の抽選結果と、各ストップスイッチ50が操作されたときの対応するリール62の回転位置とに基づいて、各リール62の回転を停止させる。なお、リール制御手段220は、必要に応じて各ストップスイッチ50が停止操作されるときの順番（押し順）が所定の条件に適合しているか否かも停止させる条件にするようにしてもよい。リール制御手段220による処理は、後述するステップ１５５（図２４参照）において行われる。
【０１１０】
リール62の回転速度としては、業界の規則等により８０ｒｐｍ以下に設定されている。  ここで、スロットマシンにおける通常の状態においては、ストップスイッチ50が操作されてから、所定の制限時間（具体的には、１９０ｍｓ）内にリール62を停止しなければならないという業界の規則による仕様上の条件が課されている。
【０１１１】
すると、回転速度が８０ｒｐｍ以下のステッピングモータ65が、周囲に２１個の図柄61が付されたリール62を回転させるスロットマシンにおいては、制限時間１９０ｍｓの場合の停止可能範囲（すなわち引き込み範囲）は、下記のように算出される。
【０１１２】
回転速度が８０ｒｐｍ（回／ｍｉｎ）であるため、リール62が１回転する時間は、
６０ｓ×１０００ｍｓ／８０ｒｐｍ＝７５０ｍｓ
となる。制限時間１９０ｍｓ内に１周２１個の図柄61を配置したリール62において、何個の図柄61（コマ）を回転移動させることができるかは、下記の算出式により求められる。
（１９０ｍｓ／（６０ｓ×１０００ｍｓ／８０ｒｐｍ））×２１個＝５．３２個
すなわち、最大で５図柄（５コマ）となり、スロットマシンでは、ストップスイッチ50が操作されると、その時点で停止可能な図柄61から最大５図柄（当該図柄61ビタ止めを含めない場合には引き込み可能な範囲は４図柄）先までの範囲内でリール62を停止させることができるようになっている。この５図柄（５コマ）の内訳は、最初の１図柄は、スベりコマ数０コマの図柄、いわゆるビタ止め図柄であり、当該ビタ止め図柄より回転上流側の４個の図柄は、スベりコマ数１〜４コマの図柄となる、すなわち引き込み可能範囲が４図柄となる。したがって、この引き込み可能範囲４図柄の中に当選している図柄が含まれていると、有効ライン86まで引き込んで停止させることができることになる。
【０１１３】
ここで、当選している場合にストップスイッチ50のいずれの操作タイミングで停止操作しても必ず当該役に係る図柄61の組み合わせを有効ライン86上に揃えて停止表示させることができる場合を具体例を挙げて、説明する。
【０１１４】
例えば、２ＢＥＴ「ＲＴ２」（２枚賭けのＲＴ２）において、当選確率１／１．０５で当選する当選役グループＴＲＰ１は、役としてＴＲＰ１を有し、このＴＲＰ１に係る図柄61の組み合わせは（リプレイ、リプレイ、ベル）に設定されている（図７、図８、図１１参照）。この図柄61の組み合わせ（リプレイ、リプレイ、ベル）を、図柄テーブル（図２参照）で見ると、左リール64、中リール66、右リール68のいずれの停止操作タイミングにおいても、停止可能な図柄から最大５図柄の範囲内に当該図柄61の組み合わせ（リプレイ、リプレイ、ベル）の図柄61が含まれている。すなわち、役ＴＲＰ１が当選している場合、いずれの停止操作タイミングでも当該図柄61の組み合わせを有効ライン86に停止表示させることができることになる。
【０１１５】
上述した役ＴＲＰ１は、ＲＴ４への移行役（ＲＴ４移行リプレイ役）として設定されているため、当選役グループＴＲＰ１に当選した場合は、必ず当該役に係る図柄61の組み合わせを有効ライン86に停止表示させることができて、ＲＴ４へ移行することができることになる。
【０１１６】
また、例えば、２ＢＥＴ「ＲＴ３」（２枚賭けのＲＴ３）において、当選確率１／１．０５（図１２参照）で当選する当選役グループＴＲＰ２は、重複して同時に当選する役としてＴＲＰ２及びＴＲＰ３を有し（図８参照）、このＴＲＰ２に係る図柄61の組み合わせは（リプレイ、チェリー１、リプレイ）に設定され、ＴＲＰ３に係る図柄61の組み合わせは（リプレイ、黒ＢＡＲ、リプレイ）に設定されている（図７参照）。
【０１１７】
このＴＲＰ２の図柄61の組み合わせ（リプレイ、チェリー１、リプレイ）と、ＴＲＰ３の図柄61の組み合わせ（リプレイ、黒ＢＡＲ、リプレイ）を、図柄テーブル（図２参照）で見ると、左リール64、中リール66、右リール68のいずれの停止操作タイミングにおいても、停止可能な図柄から最大５図柄の範囲内に、ＴＲＰ２の図柄61の組み合わせ（リプレイ、チェリー１、リプレイ）、又は、ＴＲＰ３の図柄61の組み合わせ（リプレイ、黒ＢＡＲ、リプレイ）のいずれかの図柄61が含まれている。すなわち、当選役グループＴＲＰ２が当選している場合、いずれの停止操作タイミングでも当該図柄61の組み合わせを有効ライン86に停止表示させることができることになる。
【０１１８】
上述した役ＴＲＰ２及び役ＴＲＰ３は、ＲＴ５への移行役（ＲＴ５移行リプレイ役）として設定されているため、当選役グループＴＲＰ２に当選した場合は、必ず当該役に係る図柄61の組み合わせを有効ライン86に停止表示させることができて、ＲＴ５へ移行することができることになる。
【０１１９】
停止図柄判定手段230は、メイン制御手段200が備える手段であり、全てのリール62が停止した際における有効ライン86上の図柄61の組み合わせを記憶するとともに入賞等の判定をするためのものである。なお、停止図柄判定手段230による処理は、後述するステップ１５７（図２４参照）において行われる。
【０１２０】
払出制御手段240は、停止図柄判定手段230の判定結果に基づいて、メダル払出等の所定の処理を行うためのものである。払出制御手段240は、停止図柄判定手段230の判定の結果、小役が入賞していると判定されるとメダルの払い出しを行う。なお、払出制御手段240による処理は、後述するステップ１５８（図２４参照）において行われる。
遊技制御手段250は、遊技状態を制御するものである。
具体的には、遊技制御手段250は、図５に示すように、大別すると、ノーマル遊技制御手段251、ＲＴ遊技制御手段252、ボーナス遊技制御手段253及びボーナス内部中遊技制御手段254の各手段を有する。
【０１２１】
ノーマル遊技制御手段251は、ノーマル遊技の進行を制御するものである。ここで、ノーマル遊技は、後述するＲＴ遊技制御手段252によるＲＴ遊技（リプレイタイム遊技）や、ボーナス遊技制御手段253によるボーナス遊技や、ボーナス内部中遊技制御手段254によるボーナス内部中遊技以外の遊技をいい、ＲＴ０等を含む（図１６参照）。
【０１２２】
ＲＴ遊技制御手段252は、ＲＴ遊技の進行を制御するものである。ここで、ＲＴ遊技は、ＲＴ１〜ＲＴ５を含む（図１６参照）。
【０１２３】
ボーナス遊技制御手段253は、ボーナス遊技を制御するものである（図１６参照）。ボーナス遊技には、ＲＢＢ１〜３と、ＣＢＢ１〜２とが設けられている。
ボーナス遊技は、ボーナス内部中にボーナス移行役の図柄を有効ライン86上に揃えることで移行し、所定の枚数、本実施の形態では、各ボーナス移行役に設定されたボーナスの種類に応じた規定枚数を超えるメダルの払い出しで終了し、例えばＲＢＢ１で３４５枚を超える払い出しでＲＴ１に移行し、ＲＢＢ２で３４５枚を超える払い出しでＲＴ２に移行し、ＲＢＢ３で３４５枚を超える払い出しでＲＴ２に移行し、ＣＢＢ１で２２５枚を超える払い出しでＲＴ３に移行し、ＣＢＢ２で２２５枚を超える払い出しでＲＴ３に移行する（図７、図１６参照）。
【０１２４】
ボーナス内部中遊技制御手段254は、ボーナス内部中遊技を制御するものである。このボーナス内部中遊技は、ボーナス移行役に当選し当該ボーナス移行役に対応した図柄61を有効ライン86上に停止表示できなかった場合に移行する。そして、このボーナス内部中遊技でボーナス移行役の図柄を有効ライン86に揃えることで終了する（ボーナス遊技へ移行する）ものである。ボーナス移行役としては、ＲＢＢ１、ＲＢＢ２、ＲＢＢ３、ＣＢＢ１、ＣＢＢ２が設けられている（図７参照）。ここで、「ボーナス内部中遊技」には、ＲＴ６〜１０がある（図１６参照）。
【０１２５】
送信手段300は、サブ制御手段400へ信号（コマンド）を送信するためのものである。
【０１２６】
送信手段300は、３枚賭けの遊技における役抽選の抽選結果に関する情報、いわゆる当選役情報をサブ制御手段400の受信手段410へ送信する。なお、２枚賭けの遊技における当選役情報をサブ制御手段400の受信手段410へ送信していない。これは、３枚賭けの場合、ボーナス移行役に当選可能であるため、ボーナス遊技の当選情報を演出可能にするためであって、２枚賭けの場合、ボーナス移行役に当選しないため、その必要がないことによる（図９〜図１３参照）。
【０１２７】
なお、本実施の形態では、メイン制御手段200にて設定されている具体的な設定値を特定するための情報は、例えば送信経路（ハーネス等の伝送路）の途中で設定値の情報を抜き取るような不正行為（いわゆるゴト行為）を防止するため、サブ制御手段400へ送信していない。もちろん、設定値の情報をサブ制御手段400へ送信するようにしてもよい。
【０１２８】
サブ制御手段400は、図６に示すように、受信手段410及び演出制御手段420の各手段を有する。各手段の詳細については後述する。
【０１２９】
以上の構成をもって、サブ制御手段400は、メイン制御手段200からの信号を受けて、遊技の進行に伴う演出を行うものである。
【０１３０】
具体的には、サブ制御手段400は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【０１３１】
受信手段410は、送信手段300から送信された信号（コマンド）を受信するものである。
【０１３２】
演出制御手段420は、表示装置84により行われる表示演出を実行するためのものである。
演出制御手段420は、役抽選の結果に基づく当選役に応じた演出や、ボーナス内部中遊技やボーナス遊技等に応じた演出等を行う。これらの演出は、それぞれ複数設けられており、演出制御手段420は、抽選により所定の演出を選択するとともに選択した演出を演出装置70を介して実行する。
【０１３３】
つぎに、図１６を用いて遊技の状態について説明する。
遊技の状態には、メイン制御手段200により管理され、大別すると、「ノーマル遊技」、「ボーナス内部中遊技」、「ボーナス遊技」及び「ＲＴ遊技」がある。
具体的には、「ノーマル遊技」は、図１６に示すＲＴ０であり、「ボーナス内部中遊技」は、図１６に示すＲＴ６〜１０であり、「ボーナス遊技」は、図１６に示すＲＢＢ１〜３及びＣＢＢ１〜２であり、「ＲＴ遊技」は、図１６に示すＲＴ１〜５である。
【０１３４】
「ＲＴ遊技」は、いわゆる「リプレイタイム遊技」の略語であり、「ＲＴ遊技」に移行すると、原則として再遊技役に当選する抽選確率、すなわち再遊技確率が高くなるものであって、本実施の形態では、「ＲＴ遊技」に移行すると、２枚賭け又は３枚賭けのいずれかにおいて、再遊技役の当選確率が１／１．２６以上の高確率に設定されている。
ＲＴ１は、後述するボーナス遊技「ＲＢＢ１」の終了を契機に開始されるものであり、規定遊技数（例えば２００回）行うか、いずれかのボーナス移行役に当選した場合に終了する。また、規定数として２又は３が設定されており、遊技者は当該ＲＴ１では賭け数２又は賭け数３で遊技を行うことができる。規定遊技回数行った後はＲＴ０へ移行する。
ＲＴ２は、後述するボーナス遊技「ＲＢＢ２」または「ＲＢＢ３」の終了を契機に開始されるものであり、ＲＴ４移行図柄が停止表示されるか、いずれかのボーナス移行役に当選した場合に終了する。当該ＲＴ２ではＲＴ１のように規定遊技数を設けていないが、これに限らず所定回数（例えば３０回など）の規定遊技数を設けてもよい。また、規定数として２又は３が設定されており、遊技者は当該ＲＴ２では賭け数２又は賭け数３で遊技を行うことができる。
ＲＴ３は、後述するボーナス遊技「ＣＢＢ１」または「ＣＢＢ２」の終了を契機に開始されるものであり、ＲＴ５移行図柄が停止表示されるか、いずれかのボーナス移行役に当選した場合に終了する。当該ＲＴ３ではＲＴ１のように規定遊技数を設けていないが、これに限らず所定回数（例えば３０回など）の規定遊技数を設けてもよい。また、規定数として２又は３が設定されており、遊技者は当該ＲＴ３では賭け数２又は賭け数３で遊技を行うことができる。
【０１３５】
ＲＴ４は、賭け数２のＲＴ２である２ＢＥＴ「ＲＴ２」において出現可能なＲＴ４移行図柄が停止表示されたことを契機に開始されるものであり、規定遊技数（例えば１００回）行うか、いずれかのボーナス移行役に当選した場合に終了する。また、規定数として２又は３が設定されており、遊技者は当該ＲＴ４では賭け数２又は賭け数３で遊技を行うことができる。規定遊技回数行った後はＲＴ０へ移行する。
ＲＴ５は、賭け数２のＲＴ３である２ＢＥＴ「ＲＴ３」において出現可能なＲＴ５移行図柄が停止表示されたことを契機に開始されるものであり、規定遊技数（例えば１００回）行うか、いずれかのボーナス移行役に当選した場合に終了する。また、規定数として２又は３が設定されており、遊技者は当該ＲＴ５では賭け数２又は賭け数３で遊技を行うことができる。規定遊技回数行った後はＲＴ０へ移行する。
なお、ノーマル遊技では、再遊技役の当選確率が２枚賭け及び３枚賭けのいずれにおいても、１／７．２９の通常確率に設定され、ボーナス内部中遊技では、再遊技役の当選確率が２枚賭けで１／７．２９に設定され、３枚賭けで１／３．２７に設定され、ボーナス遊技では、再遊技役の当選確率は０に設定されている。
【０１３６】
「ノーマル遊技」は、ノーマル遊技制御手段251により制御され、「ＲＴ０」がある。
ノーマル遊技の「ＲＴ０」からボーナス内部中遊技には、役抽選の結果、ボーナス移行役に当選した場合に移行可能となる。ボーナス移行役としてのＲＢＢ１に当選した場合に、ボーナス内部中のＲＴ６へ移行可能となり、ボーナス移行役としてのＲＢＢ２に当選した場合に、ボーナス内部中のＲＴ７へ移行可能となり、ボーナス移行役としてのＲＢＢ３に当選した場合に、ボーナス内部中のＲＴ８へ移行可能となり、ボーナス移行役としてのＣＢＢ１に当選した場合に、ボーナス内部中のＲＴ９へ移行可能となり、ボーナス移行役としてのＣＢＢ２に当選した場合に、ボーナス内部中のＲＴ１０へ移行可能となる（図１６参照）。
【０１３７】
なお、ボーナス移行役に当選した遊技で、当該ボーナス移行役に係る図柄61の組み合わせを有効ライン86に停止表示させることができなかった場合、当選した権利は次遊技にも持ち越されることで、ボーナス内部中遊技となるものである。特に図示していないが、ボーナス移行役に当選した遊技で、当該ボーナス移行役に係る図柄61の組み合わせを有効ライン86に停止表示させた場合、ボーナス遊技へ直接、移行する。
【０１３８】
「ボーナス内部中遊技」は、ボーナス内部中遊技制御手段254により制御され、ノーマル遊技又はＲＴ遊技において、当選役グループとしてのＲＢＢ１、ＲＢＢ２、ＲＢＢ３、ＣＢＢ１、ＣＢＢ２のいずれかに当選し、当該ボーナス移行役に対応した図柄61を有効ライン86上に停止表示できなかった場合に移行する（図１６参照）。
なお、ボーナス内部中遊技としてのＲＴ６〜ＲＴ１０においても、２枚賭けと３枚賭けとが選択可能であり、３枚賭けの方がＮＲＰ（通常リプレイ）の当選確率が高く設定されている（図１４参照）。
なお、本実施の形態では、「ボーナス遊技」の種類に応じてボーナス内部中遊技が設けられている。
【０１３９】
「ボーナス遊技」は、ボーナス遊技制御手段253により制御され、「ＲＢＢ１〜３、ＣＢＢ１〜２」がある。
ボーナス遊技「ＲＢＢ１」は、ボーナス移行役としてのＲＢＢ１に係る図柄61の組み合わせを有効ライン86上に停止表示させることで移行する。
ボーナス遊技「ＲＢＢ２」は、ボーナス移行役としてのＲＢＢ２に係る図柄61の組み合わせを有効ライン86上に停止表示させることで移行する。
ボーナス遊技「ＲＢＢ３」は、ボーナス移行役としてのＲＢＢ３に係る図柄61の組み合わせを有効ライン86上に停止表示させることで移行する。
【０１４０】
ボーナス遊技「ＣＢＢ１」は、ボーナス移行役としてのＣＢＢ１に係る図柄61の組み合わせを有効ライン86上に停止表示させることで移行する。
ボーナス遊技「ＣＢＢ２」は、ボーナス移行役としてのＣＢＢ２に係る図柄61の組み合わせを有効ライン86上に停止表示させることで移行する。
「ボーナス遊技」は、本実施の形態では、ＲＢＢ１〜３や、ＣＢＢ１〜２であり、所定の枚数、例えばＲＢＢ１〜３では３４５枚、また、ＣＢＢ１〜２では２２５枚を超えるメダルの払い出しで終了し、その後、ＲＢＢ１では、ＲＴ１、ＲＢＢ２及びＲＢＢ３では、ＲＴ２、ＣＢＢ１〜２ではＲＴ３へ移行する（図１６参照）。
【０１４１】
図１７により遊技の流れの一例を図中の遊技数を用いて説明する。
先ず、図１７の１回目の遊技に示すように、ノーマル遊技（ＲＴ０）において、遊技者は、遊技を行いボーナス遊技へ移行することを望み、ボーナス移行役の当選を目指す。本実施の形態では、２枚賭けではボーナス移行役の当選確率が０であるため、３枚賭けのＲＴ０を実施することになる。このとき当選役グループ「ＮＲＰ」の当選確率は１／７．２９となり、再遊技役の当選確率（リプレイ確率）は低確率の状態である。
【０１４２】
図１７の３回目の遊技に示すように、ボーナス移行役（この場合は、ＲＢＢ２）に当選し、その後ＲＢＢ２内部当選状態のボーナス内部中遊技（この場合は、ＲＴ７）となる。３枚賭けのＲＴ７を行い、当選役グループ「ＮＲＰ」の当選確率（リプレイ確率）は、１／３．２７の高確率状態になっている。
【０１４３】
図１７の６回目の遊技に示すように、ボーナス移行役ＲＢＢ２に係る図柄61の組み合わせを有効ライン86上に停止表示させることで、ボーナス遊技に移行する。なお、このボーナス遊技では２枚賭けの遊技となり、ボーナス遊技中ではマックスベットスイッチ34に設定されている賭け数は２枚に設定されている。
【０１４４】
本実施の形態では、ボーナス遊技中は、２枚賭けになっているマックスベットスイッチ34を操作するか、スタートスイッチ40を操作して２枚賭けを設定するか、遊技者の選択によりいずれの操作でも２枚賭けの設定が可能である。
【０１４５】
図１７のＭ＋１回目の遊技に示すように、ボーナス遊技が終了すると、マックスベットスイッチ34の規定数は自動的に３枚賭けに変更されることになり、ボーナス遊技終了後にマックスベットスイッチ34を操作すると、ボーナス遊技終了後のＲＴ２の初回遊技、すなわちＭ＋１回目の遊技では賭け数は３ＢＥＴとなって３枚賭けの遊技となる。
【０１４６】
なお、マックスベットスイッチ34を操作したことでＭ＋１回目の遊技では３枚賭けとなったが、ボーナス遊技終了後、直ぐにマックスベットスイッチ34を操作せずに、メダルの投入操作方法を変更して、スタートスイッチ40の操作や、２ベットスイッチ35等の操作により、ボーナス遊技終了後に直ぐに２枚賭けにしてもよいものである。その場合には、Ｍ＋１回目の遊技の賭け数は、２ＢＥＴとなって２枚賭けの遊技となる。
【０１４７】
また、ボーナス遊技中も、スタートスイッチ40の操作により２枚賭けの投入操作を実施していた場合には、ボーナス遊技終了後もそのままスタートスイッチ40の操作をすることで、２枚賭けのＲＴ２（２ＢＥＴ「ＲＴ２」）をすることができる。
【０１４８】
図１７のＭ＋２回目、Ｍ＋３回目の遊技に示すように、ボーナス遊技の終了後のＲＴ遊技（この場合、ＲＴ２となる）では、３枚賭けの遊技を行うのではなく、２枚賭けの遊技を行う。ここで２枚賭け遊技を行う理由は、ＲＴ４移行リプレイ役に当選したいためである。具体的に説明すると、このＲＴ２では、３枚賭けで、再遊技役を有する当選役グループ「ＮＲＰ」の当選確率が１／７．２９となって低確率である。しかも、ＲＴ４への移行役を有する当選役グループ「ＴＲＰ１」の当選確率が０であるため、役抽選で当選することもなく、ＲＴ４への移行役ＴＲＰ１に係る図柄61の組み合わせが有効ライン86に揃うこともない。このためＲＴ２では、３枚賭けでＲＴ４へ直接移行することはない（図１８の点線矢印上のバツ印参照）。
【０１４９】
図１７のＭ＋２回目、Ｍ＋３回目の遊技に示すように、２枚賭けの遊技でＲＴ２の遊技が実行される。この２枚賭けのＲＴ２では、当選役グループ「ＴＲＰ１」の役抽選の当選確率が１／１．０５であって高確率であるため（図１１参照）、１、２回程度の数回の遊技でＴＲＰ１が当選可能となっている。さらに、この当選役グループ「ＴＲＰ１」が有する役ＴＲＰ１に係る図柄61の組み合わせ（リプレイ、リプレイ、ベル）は、各リール62において、ストップスイッチ50の停止操作タイミングがいずれのタイミングであっても停止表示可能な範囲である５コマ（ビタ止め１コマ＋引き込み可能範囲４コマ）の範囲内に図柄61が配置されているため（図２参照）、いずれの停止操作タイミングでストップスイッチ50を操作しても有効ライン86上に停止可能である。
【０１５０】
図１７のＭ＋３回目の遊技に示すように、ＲＴ２において、Ｍ＋２回目の遊技でベルが役抽選の結果、当選し、Ｍ＋３回目の遊技で当選役グループＴＲＰ１が当選し、ＲＴ４移行リプレイ役であるＴＲＰ１に係る図柄61の組み合わせ（リプレイ、リプレイ、ベル）が有効ライン86上に停止表示される。
【０１５１】
図１７のＭ＋４回目の遊技に示すように、ＲＴ４移行リプレイ役であるＴＲＰ１（リプレイ、リプレイ、ベル）が停止表示されることで、ＲＴ４へ移行する。
ここで、ＲＴ４移行リプレイ役であるＴＲＰ１は、再遊技役であって、再遊技役に係る図柄61の組み合わせが有効ライン86上に停止表示した場合に今回の遊技で用いられた賭け数と同数の賭け数が次回の遊技において設定される。すなわち、ＲＴ４移行リプレイ役であるＴＲＰ１は再遊技役であって、Ｍ＋３回目の遊技で２枚賭けで遊技を行っており、Ｍ＋３回目の遊技で用いられた賭け数である２枚賭けと同数の賭け数が次回の遊技であるＭ＋４回目の遊技において設定される。
【０１５２】
図１７のＭ＋４回目の遊技に示すように、ＲＴ４における２枚賭け遊技（２ＢＥＴ「ＲＴ４」）のリプレイ確率は１／７．２９（図１３参照）であって、低確率であるため、次のＭ＋５回目の遊技において、賭け数の変更を３枚賭けに変更することで、ＲＴ４における３枚賭けの遊技（３ＢＥＴ「ＲＴ４」）へ移行し、リプレイ確率を１／１．２６（図１３参照）の高確率にする。
【０１５３】
図１７のＮ＋１回目の遊技に示すように、ＲＴ４において予め固定されている全遊技回数１００回を終了すると（いわゆる完走すると）、ノーマル遊技としてのＲＴ０へ移行し、ＲＴ０での遊技が開始される。
なお、ＲＴ２の遊技回数は、ＲＴ４のように固定遊技回数１００回に設定されているものではなく、ＲＴ４やボーナス遊技へ移行しない限り、上限はなく、いわゆる無限遊技回数に設定されている。
【０１５４】
次に、図１８では、図１７の（４）〜（９）の遊技の流れを、賭け数の２枚賭けの遊技と、３枚賭けの遊技とに分類した観点で説明している。
なお、図１８の記号（４）〜（９）は、図１７中の記号（１）〜（９）のうちの（４）〜（９）と同一の遊技の流れである。
【０１５５】
図１８（４）（５）に示すように、リプレイ確率が低確率の３枚賭けのＲＴ２（３ＢＥＴ「ＲＴ２」）から、遊技者による賭け数の３枚から２枚への切り替えが行われて、リプレイ確率が高確率の２枚賭けのＲＴ２（２ＢＥＴ「ＲＴ２」）へ移行する。
【０１５６】
図１８（６）に示すように、ＲＴ４への移行役の図柄を停止表示させると、ＲＴ２からＲＴ４へ移行することになる。ＲＴ４への移行役は、既に説明しているようにＲＴ４移行リプレイ役であるＴＲＰ１（リプレイ、リプレイ、ベル）であって、このＴＲＰ１は３枚賭けＲＴ２（３ＢＥＴ「ＲＴ２」）では役抽選の当選確率０であり当選することはできず、２枚賭けＲＴ２（２ＢＥＴ「ＲＴ２」）において、１／１．０５の高確率の当選確率で当選可能となり、高確率のため直ぐに当選可能である。当選後、ＴＲＰ１（リプレイ、リプレイ、ベル）の図柄61の組み合わせは、いずれの停止操作タイミングにおいても、必ず有効ライン86上に停止表示させることができるように予め図柄61がリール62の周囲に配置されており、当該図柄61の組み合わせを有効ライン86に停止表示させることができ、その結果、ＲＴ４へ移行することになる。
【０１５７】
図１８（７）（８）に示すように、既に説明しているように、ＲＴ４移行リプレイ役は再遊技役であるため、当選して、当該役に係る図柄61の組み合わせを有効ライン86上に停止表示させた次の遊技（図１７のＭ＋４回目の遊技）では、停止表示した遊技で用いられた賭け数（２枚）と同数の賭け数（２枚）が設定される。このため、ＲＴ４では、少なくとも１回は、２枚賭けのＲＴ４を実施することになる。そして、このＲＴ４において、遊技者による賭け数の変更が２枚から３枚への変更が行われることで、３枚賭けのＲＴ４（３ＢＥＴ「ＲＴ４」）へ移行することになる。
【０１５８】
この３枚賭けのＲＴ４（３ＢＥＴ「ＲＴ４」）では、遊技回数１００回の固定遊技数だけボーナス移行役に当選しない限り実施することができ、リプレイ確率が高確率であり、ボーナス遊技への当選の可能性もあり、さらに、本実施の形態では、当選役グループ「ＢＥ」の確率も２枚賭けのＲＴ２（２ＢＥＴ「ＲＴ２」）よりも高確率となっており、２枚賭けのＲＴ２（２ＢＥＴ「ＲＴ２」）よりも遊技媒体としてのメダルを遊技者が多く獲得可能な遊技状態となっている。
【０１５９】
そして、図１８（９）に示すように、ＲＴ４の固定遊技回数である１００回の全遊技回数を実行すると、ノーマル遊技としてのＲＴ０へ移行し、ＲＴ０での遊技が開始される。
【０１６０】
本実施の形態では、より多くの利益（メダル）を獲得するためには、所定のタイミングで賭け数を変更する必要があるため、表示装置84により、どのタイミングで賭け数を変更すべきかを遊技者に報知している。
【０１６１】
以下に、図１９〜図２３を用いて、本実施の形態に係る遊技機10の遊技の流れにおいて、表示装置84が遊技者に対して報知する複数のパターンについて説明する。本実施の形態に係る遊技機10は、図１９〜図２３の報知パターンのいずれか１つを実行可能に形成されてあればよいものである。なお、図１９〜図２３の報知パターンのうち任意の複数の報知パターンの中から選択可能に形成されているようにしてもよいし、また、図１９〜図２３の報知パターンの全ての中から任意の報知パターンを選択することができるようにしてもよいものである。
本実施の形態では、第１の賭け数としての３枚賭けと、第２の賭け数としての２枚賭けとのいずれに設定するかに関する情報を遊技者に対して報知するための報知手段としての演出装置70を備えている。この演出装置70は、具体的には、前扉14の上部に設置されている液晶表示装置としての表示装置84を有している。
また、本実施の形態では、下記に示すように表示装置84の画面表示で賭け数の変更タイミング等を報知しているが、それに代えて、或いは、それに加えて、スピーカー72により、同様の内容の音声報知を行うようにしてもよい。
【０１６２】
先ず、図１９を用いて、報知手段としての演出装置70の表示装置84による報知パターンの一例について説明する。当該図１９の報知パターンの一例は、ボーナス遊技終了の際に賭け数種別関連情報が表示され、３枚賭けのＲＴ４（３ＢＥＴ「ＲＴ４」）に移行するまで賭け数種別関連情報が表示されるパターンである。
【０１６３】
先ず、図１９（Ａ）に示すように、ＲＢＢ２が規定枚数を超える払い出しにより終了して、ボーナス遊技の終了画面を遊技者に見せるためのボーナス終了時ウェイト期間中に表示Ａが行われる。具体的には、図１９（Ｂ）の表示Ａに示すように、表示装置84では、ＲＢＢ２中に獲得したメダル枚数の合計枚数の報知である「獲得３４６枚」の文字表示に加えて、賭け数種別関連情報の一態様である「ボーナス後は２ＢＥＴ遊技推奨だよ」の文字表示が実行される。２枚賭けのＲＢＢ２の終了後は、２枚賭けと３枚賭けとのいずれかを選択することができるＲＴ２へ移行するものである。
ＲＢＢ２中のマックスベットスイッチ34の設定は最大規定数が２枚であるため２枚賭けに設定されてあるが、ＲＢＢ２が終了してＲＴ２へ移行すると、マックスベットスイッチ34の設定は自動的に３枚賭けに設定されるため、遊技者が２枚賭けの遊技を行うということを意識して、２ベットスイッチ35や、スタートスイッチ40等の２枚賭けを行うための賭け数設定を行う必要がある。このため、その注意を喚起するために表示されるものである。
【０１６４】
さらに、表示装置84の下部には、３枚賭けと２枚賭けとの賭け数を遊技者に意識させるために、マックスベットスイッチ34を模した表示と、スタートスイッチ40を模した表示とが示されている。
【０１６５】
なお、本実施の形態では、メダルをベットするための操作可能な装置としては、図１に示すようなマックスベットスイッチ34、２ベットスイッチ35が設けられているが、特にこれに限定されるものではない。例えば、四角形のマックスベットスイッチと、六角形の２枚ベット専用の２ベットスイッチとを設けてもよい。
【０１６６】
そして、ＲＢＢ２が終了して、ＲＴ２へ移行した場合には、表示装置84には、準備中画面と２ベット推奨表示とが表示される。具体的には、図１９（Ｂ）の表示Ｂに示すように、表示装置84には、準備中画面の一部である「リプレイタイム準備中」の文字と、表示装置84の左右両端に賭け数種別関連情報の一態様である２ベット推奨表示を意味する「２ＢＥＴ遊技推奨」の文字とが表示される。
【０１６７】
次に、図１９（Ａ）に示すように、ＲＴ２の遊技中に役抽選の結果、ＲＴ４移行リプレイ役に当選すると、当該遊技で必ずＲＴ４移行リプレイ役に係る図柄61の組み合わせを有効ライン86に停止表示することができ、次の遊技は、図１９（Ａ）に示すように、ＲＴ４となる。その際、表示装置84には、ＲＴ４中の演出表示と、３ＢＥＴ推奨表示とが表示Ｃにより行われる。具体的には、図１９（Ｂ）の表示Ｃに示すように、ＲＴ４中演出の一部である「リプレイタイムＳＴＡＲＴ！」の文字表示と、賭け数種別関連情報の一態様である３ＢＥＴ推奨表示を意味する「３ＢＥＴ遊技推奨」の文字表示とが行われる。なお、ＲＴ４の最初の遊技は、前回の遊技が２枚賭けのＲＴ２（２ＢＥＴ「ＲＴ２」）の最後の遊技の当選役ＲＴ４移行リプレイ役が再遊技役であるため、次の遊技であるＲＴ４の最初の遊技も、同一の賭け数である２枚賭けとなるものである（なお、以後の説明において、ＲＴ４移行リプレイ役や、ＲＴ５移行リプレイ役に当選した場合も同様である）。
【０１６８】
そして、図１９（Ａ）に示すように、３枚賭けのＲＴ４（３ＢＥＴ「ＲＴ４」）へ移行した際、表示装置84では、ＲＴ４中演出及び３ＢＥＴ推奨表示の表示Ｄが行われる。具体的には、図１９（Ｂ）の表示Ｄに示すように、表示装置84の上部には、ＲＴ４の残りの遊技回数（Ｇ）を意味する「ＬＡＳＴ〜Ｇ」の文字と、当該ＲＴ４中に遊技者が獲得することができたメダル枚数を意味する「獲得〜枚」の文字と、３ＢＥＴ推奨表示を意味する「３ＢＥＴ遊技推奨」の文字表示とが表示される。なお、３枚賭けのＲＴ４（３ＢＥＴ「ＲＴ４」）への移行が行われた後においては３ＢＥＴ推奨表示が行われないようにしてもよい。
【０１６９】
本実施の形態では、２枚賭けの遊技において、役抽選の結果をサブ制御手段400へ送信していないが、上述した表示Ａ、Ｂ、Ｃは、ＲＢＢが終了するタイミングや、ＲＴ２の開始や、終了のタイミングに対応して、各表示内容を表示するようにプログラミングされている。
このように、図１９の報知パターンの一例は、ボーナス遊技の終了の際に賭け数種別関連情報が表示され、ＲＴ２、ＲＴ４においては滞在するＲＴ状態に対応する賭け数種別関連情報が表示される一例である。
【０１７０】
次に、図２０を用いて、報知手段としての演出装置70の表示装置84による報知パターンの一例について説明する。
図２０も、図１９と同様に賭け数を変更すべきタイミングを表示装置84により報知している一例であるが、一部、例えば表示Ｆでは、遊技者がチャンスボタン42を押下することで、表示装置84にメニュー画面が表示され、当該メニュー画面により賭け数の変更を報知している。つまり、当該図２０の報知パターンの一例は、図１９の報知パターンとは異なり、３枚賭けのＲＴ４（３ＢＥＴ「ＲＴ４」）に移行するまでに、賭け数種別関連情報を表示することを遊技者に推奨する推奨表示が行われる。さらに、ボーナス終了時ウェイト期間で強制的にメニュー画面が表示される。
【０１７１】
先ず、図２０（Ａ）に示すように、ＲＴ０のノーマル遊技において、遊技者がチャンスボタン42を押下すると、表示装置84では、メニュー画面である表示Ｆが行われる。具体的には、図２０（Ｂ）の表示Ｆに示すように、遊技の進行に伴う賭け数の適切な変更タイミングを報知する賭け数種別関連情報である「ボーナス終了後は２ＢＥＴ遊技推奨  ＲＴ開始後は３ＢＥＴ遊技推奨」の文字が表示される。
【０１７２】
次に、図２０（Ａ）に示すように、表示装置84では、ＲＢＢ２のボーナス終了時ウェイト期間の前半では終了画面として表示Ｅが行われる。具体的には、図２０（Ｂ）の表示Ｅに示すように、表示装置84には、終了画面として、当該ボーナス中に獲得したメダル枚数の合計枚数である「獲得３４６枚」が表示される。
【０１７３】
また、図２０（Ａ）に示すように、ＲＢＢ２のボーナス終了時ウェイト期間の前半における終了画面が終了して、当該ウェイト期間の後半では、チャンスボタン42を押下したときに表示される表示Ｆが強制的に表示装置84に表示される。このようにすることで、チャンスボタン42を押下しなくても賭け数種別関連情報を確認できるとともに、確実に賭け数種別関連情報を遊技者に見せることができる。具体的には、表示装置84では、図２０（Ｂ）の上述した表示Ｆに示すようなメニュー画面が表示される。
【０１７４】
次に、図２０（Ａ）に示すように、ＲＢＢ２が終了して、２枚賭けのＲＴ２（２ＢＥＴ「ＲＴ２」）へ移行すると、表示装置84では、準備中画面及びメニュー推奨表示である表示Ｇが行われる。具体的には、図２０（Ｂ）の表示Ｇに示すように、表示装置84には、準備中画面としての「リプレイタイム準備中」の文字と、メニュー推奨表示としての「メニューはＰＵＳＨで表示」及び「遊技手順はメニューで確認」の文字とが表示され、チャンスボタン42を押下すると表示Ｆが表示可能である。
【０１７５】
図２０（Ａ）に示すように、表示装置84では、ＲＴ２中に役抽選の結果、ＲＴ４移行リプレイ役に当選し、当該役に係る図柄61を有効ライン86に停止表示させて、ＲＴ４に移行した際、ＲＴ４中演出及びメニュー推奨表示である表示Ｈが行われる。具体的には、図２０（Ｂ）の表示Ｈに示すように、表示装置84には、ＲＴ４中演出の一部である「リプレイタイムＳＴＡＲＴ！」の文字と、「メニューはＰＵＳＨで表示」及び「遊技手順はメニューで確認」の文字とが表示され、チャンスボタン42を押下すると表示Ｆが表示可能である。
ＲＴ４移行リプレイ役は再遊技役であるため、当該再遊技役を成立させた（揃えた）次の遊技であるＲＴ４の最初の遊技は、２枚賭けの遊技（２ＢＥＴ「ＲＴ４」）となる。そして、次の遊技では、遊技の賭け数を２枚賭けから３枚賭けに変更することで、賭け数の変更が行われ、３枚賭けのＲＴ４（３ＢＥＴ「ＲＴ４」）へ移行する。
【０１７６】
図２０（Ａ）に示すように、遊技の賭け数を２枚賭けから３枚賭けに変更することで、賭け数の変更が行われ、３枚賭けのＲＴ４（３ＢＥＴ「ＲＴ４」）へ移行する。その際、図２０（Ａ）に示すように、表示装置84では、ＲＴ４中演出及びメニュー推奨表示の表示Ｉが行われる。具体的には、図２０（Ｂ）の表示Ｉに示すように、表示装置84の上部には、実行できる最大遊技回数が１００回の固定遊技回数のうちＲＴ４の残りの遊技回数（Ｇ）を意味する「ＬＡＳＴ〜Ｇ」の文字と、当該ＲＴ４において遊技者が獲得することができたメダル枚数の合計である「獲得〜枚」の文字と、「遊技手順はメニューで確認」の文字とが表示される。
このように、図２０の報知パターンの一例は、賭け数種別関連情報を表示することを遊技者に推奨する推奨表示が行われ、さらにボーナス終了時ウェイト期間中に強制的にメニュー画面を表示する一例である。
【０１７７】
次に、図２１を用いて、報知手段としての演出装置70の表示装置84による報知パターンの一例について説明する。
当該図２１の報知パターンの一例は、賭け数種別関連情報を表示することを遊技者に推奨する推奨表示が、ＲＴ２状態やＲＴ４状態だけでなくノーマル遊技から行われる一例である。
【０１７８】
先ず、図２１（Ａ）に示すように、ＲＴ０のノーマル遊技において、表示装置84では、通常演出画面と、メニュー推奨表示とである表示Ｊが行われる。具体的には、図２１（Ｂ）の表示Ｊに示すように、表示装置84には、通常演出画面であるキャラクターの画像及び「商店街ＳＴＡＧＥ」の文字と、メニュー推奨表示である「ボーナス終了後の遊技手順はメニューで確認してね」の文字とが表示される。当該メニュー推奨表示はスクロール表示されるようにしてもよい。
【０１７９】
次に、図２１（Ａ）に示すように、ＲＴ０のノーマル遊技において、遊技者がチャンスボタン42を押下すると、表示装置84では、メニュー画面である表示Ｋが行われる。具体的には、図２１（Ｂ）の表示Ｋに示すように、遊技の進行に伴う賭け数の適切な変更タイミングを報知する「ボーナス終了後は２ＢＥＴ遊技推奨  ＲＴ開始後は３ＢＥＴ遊技推奨」の文字が表示される。さらに、表示装置84の下部には、３枚賭けと２枚賭けとの賭け数を遊技者に意識させるために、マックスベットスイッチ34を模した表示と、スタートスイッチ40を模した表示とが示されている。
もちろん、表示Ｋはこれ以降のタイミングにおいてもチャンスボタン42を押下することで遊技者の意志で自由に表示させることができる。
【０１８０】
そして、メニュー画面の表示が終了すると図２１（Ａ）に示すように、表示装置84では、上述したメニュー画面の表示の後、上述した表示Ｊが行われる。なお、メニュー画面の終了は、メニュー画面表示後に一定期間操作が行われなかった場合であったり、メダルの投入やスタートスイッチ40の操作等の遊技の進行に関する操作が行われた場合であったりする。
【０１８１】
次に、図２１（Ａ）に示すように、２枚賭けのＲＴ２（２ＢＥＴ「ＲＴ２」）へ移行した際、表示装置84では、準備中画面及びメニュー推奨表示である表示Ｌが行われる。具体的には、図２１（Ｂ）の表示Ｌに示すように、表示装置84には、準備中画面の一部である「リプレイタイム準備中！」の文字と、メニュー推奨表示である「ボーナス終了後の遊技手順はメニューで確認してね」の文字とが表示される。
【０１８２】
次に、図２１（Ａ）に示すように、２枚賭けのＲＴ２において、役抽選の結果、ＲＴ４移行リプレイ役に当選して、当該遊技で当該役に係る図柄61の組み合わせを有効ライン86上に停止表示させて、ＲＴ４へ移行すると、表示装置84では、ＲＴ４中演出及びメニュー推奨表示である表示Ｍが行われる。具体的には、図２１（Ｂ）の表示Ｍに示すように、ＲＴ４中演出の一部である「リプレイタイムＳＴＡＲＴ！」の文字と、メニュー推奨表示である「ボーナス終了後の遊技手順はメニューで確認してね」の文字とが表示される。
【０１８３】
そして、図２１（Ａ）に示すように、遊技の賭け数を２枚賭けから３枚賭けに変更することで、賭け数の変更が行われ、３枚賭けのＲＴ４（３ＢＥＴ「ＲＴ４」）へ移行する。その際、表示装置84では、ＲＴ４中演出及びメニュー推奨表示である表示Ｎが行われる。
具体的には、図２１（Ｂ）の表示Ｎに示すように、表示装置84の上部には、実行できる最大遊技回数が１００回の固定遊技回数のうちＲＴ４の残りの遊技回数（Ｇ）を意味する「ＬＡＳＴ〜Ｇ」の文字と、当該ＲＴ４において遊技者が獲得することができたメダル枚数の合計である「獲得〜枚」の文字と、メニュー推奨表示である「ボーナス終了後の遊技手順はメニューで確認してね」の文字とが表示される。
このように、図２１の報知パターンの一例では、賭け数種別関連情報を表示することを遊技者に推奨する推奨表示が、ＲＴ２状態やＲＴ４状態だけでなく通常遊技から行われる。
【０１８４】
次に、図２２を用いて、報知手段としての演出装置70の表示装置84による報知パターンの一例について説明する。当該図２２の報知パターンの一例は、遊技待機中、いわゆるデモ待機中に賭け数種別関連情報を表示する一例である。なお、当該実施例のデモ待機中では後述する表示Ｐ〜表示Ｓの表示が行われ、当該デモ待機中では「表示Ｐ→表示Ｑ→表示Ｒ→表示Ｓ→表示Ｐ→…」と各表示それぞれに対応した表示時間毎に順次表示が切り替わり、表示Ｓが終了すると再度表示Ｐからデモ待機中の表示が開始される。また、表示Ｐ〜表示Ｓのいずれの表示が行われているかに関わらず、メダルの投入やスタートスイッチ40の操作等の遊技の進行に関する操作が行われた場合は、後述する表示Ｏを含む演出画面が表示されることとなる。
【０１８５】
先ず、図２２（Ａ）に示すように、ＲＴ０のノーマル遊技において、表示装置84では、通常演出画面としての表示Ｏが行われる。具体的には、図２２（Ｂ）の表示Ｏに示すように、表示装置84には、上部に通常演出の内容の一部である「商店街ＳＴＡＧＥ」の文字と、通常演出に登場するキャラクターの画像とが表示される。
【０１８６】
図２２（Ａ）に示すように、ＲＴ０のノーマル遊技の待機中（デモ待機中）において、表示装置84では、企業ロゴである表示Ｐが行われる。具体的には、図２２（Ｂ）の表示Ｐに示すように、表示装置84には、企業名が表示される。
【０１８７】
図２２（Ａ）に示すように、ＲＴ０のノーマル遊技の待機中（デモ待機中）において、表示装置84では、遊技にのめり込んでしまうことを注意喚起するのめり込み注意表示である表示Ｑが行われる。具体的には、図２２（Ｂ）の表示Ｑに示すように、表示装置84には、「のめり込みに注意しましょう！」という文字が表示される。
【０１８８】
図２２（Ａ）に示すように、ＲＴ０のノーマル遊技の待機中（デモ待機中）において、表示装置84では、遊技手順表示である表示Ｒが行われる。具体的には、図２２（Ｂ）の表示Ｒに示すように、表示装置84では、「遊技方法  ボーナス終了後は２ＢＥＴ遊技推奨  ＲＴ開始後は３ＢＥＴ遊技推奨」の文字と、賭け数を遊技者に意識させるために、マックスベットスイッチ34を模した表示と、スタートスイッチ40を模した表示とが示されている。
【０１８９】
図２２（Ａ）に示すように、ＲＴ０のノーマル遊技の待機中（デモ待機中）において、表示装置84では、デモ演出である表示Ｓが行われる。具体的には、図２２（Ｂ）の表示Ｓに示すように、表示装置84には、キャラクターの画像が表示される。
なお、ＲＴ０のノーマル遊技の待機中において表示Ｐ〜表示Ｓが行われる例を記載したがこれに限らず、ＲＴ０以外の遊技状態に滞在している場合であっても待機中表示として表示Ｐ〜表示Ｓを行ってもよい。
このように、図２２の報知パターンの一例は、デモ待機中に賭け数種別関連情報を表示する一例である。
【０１９０】
次に、図２３を用いて、報知手段としての演出装置70の表示装置84による報知パターンの一例について説明する。当該図２３の報知パターンの一例は、ボーナス終了時ウェイト期間の前半でのめり込み注意表示を行い、当該ウェイト期間の後半から推奨表示を行う一例である。
【０１９１】
先ず、図２３（Ａ）に示すように、ボーナス遊技のＲＢＢ２が終了した際のボーナス終了時ウェイト期間の前半において、表示装置84では、終了画面及び注意表示としての表示Ｔが行われる。具体的には、図２３（Ｂ）の表示Ｔに示すように、表示装置84には、ＲＢＢ２中に遊技者が獲得することができたメダル枚数の合計枚数である「獲得３４６枚」の文字と、遊技者に対する注意表示である「のめり込みに注意しましょう！」の文字とが表示される。
【０１９２】
次に、図２３（Ａ）に示すように、ボーナス遊技のＲＢＢ２の終了した際のボーナス終了時ウェイト期間の後半において、表示装置84では、終了画面及びボタン説明表示である表示Ｕが行われる。具体的には、図２３（Ｂ）の表示Ｕに示すように、表示装置84には、終了画面であってＲＢＢ２中に遊技者が獲得したメダル枚数の合計枚数である「獲得３４６枚」の文字と、推奨表示の一態様であるチャンスボタン42の説明表示である「チャンスボタンで遊技説明を表示」の文字とが表示され、チャンスボタン42を押下すると表示Ｙが表示可能である。
【０１９３】
次に、図２３（Ａ）に示すように、ＲＢＢ２が終了して、ＲＴ２へ移行すると、表示Ｖが表示される。具体的には、図２３（Ｂ）の表示Ｖに示すように、表示装置84には、準備中画面である「リプレイタイム準備中」の文字と、チャンスボタン42の説明表示である「チャンスボタンで遊技説明を表示」の文字とが表示され、チャンスボタン42を押下すると表示Ｙが表示可能である。
【０１９４】
図２３（Ａ）に示すように、ＲＴ２の遊技中に役抽選の結果、ＲＴ４移行リプレイ役に当選すると、当該遊技で必ずＲＴ４移行リプレイ役に係る図柄61の組み合わせを有効ライン86に停止表示することができ、次の遊技は、ＲＴ４となる。その際、表示装置84には、ＲＴ４中の演出表示と、ボタン説明表示とが表示Ｗにより行われる。具体的には、図２３（Ｂ）の表示Ｗに示すように、ＲＴ４中演出の一部である「リプレイタイムＳＴＡＲＴ！」の文字表示と、推奨表示の一態様であるチャンスボタン42の説明表示である「チャンスボタンで遊技説明を表示」の文字とが表示され、チャンスボタン42を押下すると表示Ｙが表示可能である。
なお、ＲＴ４の最初の遊技は、前回の遊技が２枚賭けのＲＴ２（２ＢＥＴ「ＲＴ２」）の最後の遊技の当選役ＲＴ４移行リプレイ役が再遊技役であるため、次の遊技であるＲＴ４の最初の遊技も、再遊技役の同一の賭け数である２枚賭けとなるものである。
【０１９５】
そして、図２３（Ａ）に示すように、表示装置84では、ＲＴ４中演出及び推奨表示の一態様であるチャンスボタン42の説明表示である表示Ｘが行われる。具体的には、図２３（Ｂ）に示すように、表示装置84には、ＲＴ４中演出である「リプレイタイム」の文字と、チャンスボタン42の説明表示である「チャンスボタンで遊技説明を表示」の文字とが表示される。そして、遊技者がチャンスボタン42を操作すると、図２３（Ｂ）の表示Ｙに示すように、遊技説明である「ボーナス終了後は２ＢＥＴ遊技推奨  ＲＴ開始後は３ＢＥＴ遊技推奨」の文字と、３枚賭けと２枚賭けとの賭け数を遊技者に意識させるために、マックスベットスイッチ34を模した表示と、スタートスイッチ40を模した表示とが示されている。
上述したようにチャンスボタン42を押下すると表示Ｙが表示されるが、表示内容はこれに限定されるものではなく、この表示Ｙに加えて、或いは、この表示Ｙに代えて、図２３（Ｂ）の表示Ｚが表示されるようにしてもよい。この表示Ｚを示すことで、２ベットスイッチ35を操作すると２枚賭け、マックスベットスイッチ34を操作すると３枚賭け、スタートスイッチ40を操作すると２枚賭けが行われることを示唆することができる。
このように、図２３の報知パターンの一例は、ボーナス終了時ウェイト期間の前半でのめり込み注意表示を行い、当該ウェイト期間の後半から推奨表示を行う一例である。
【０１９６】
図２４に示すフローチャートに基づいて、メイン制御手段200が遊技中に実行する一般的な制御処理について説明する。
【０１９７】
ステップ１５１において、前回遊技で再遊技役に入賞したか否か、すなわち、再遊技役に係る図柄61の組み合わせが有効ライン86上に停止表示されたか否かが判定される。そして、前回遊技で再遊技役に入賞したと判定された場合、次のステップ１５２に進み、前回遊技で再遊技役に入賞していないと判定された場合、ステップ１５３に進む。
ステップ１５２において、前回遊技と同数の賭け数のメダルの自動投入が行われる。そして、次のステップ１５３に進む。
ステップ１５３において、遊技開始前処理が行われる。なお、この遊技開始前処理は後で詳細に説明する。そして、次のステップ１５４に進む。
ステップ１５４において、遊技者によりストップスイッチ50の停止操作が行われたか否かが判定される（図２５参照）。そして、停止操作が行われたと判定された場合、次のステップ１５５に進み、停止操作が行われていないと判定された場合、ステップ１５４に戻る。
ステップ１５５において、リール制御手段220により、操作されたストップスイッチ50に対応するリール62を停止させるための停止制御が行われる。そして、次のステップ１５６に進む。
【０１９８】
ステップ１５６において、全てのリール62が回転を停止したか否かが判定される。そして、全てのリール62が回転を停止したと判定された場合、次のステップ１５７に進み、全てのリール62が回転を停止していない、すなわち回転中のリール62が残っていると判定された場合、ステップ１５４に戻る。
【０１９９】
ステップ１５７において、停止図柄判定手段230により停止図柄判定処理が行われる。そして、次のステップ１５８に進む。
ステップ１５８において、メダルの払出処理が行われる。具体的には、払出制御手段240により、当選役に係る図柄が有効ライン86上に停止している場合には、その当選役に対応する枚数のメダルの払い出しが行われる。なお、役に非入賞で、いわゆる配当の付与が無い場合にはメダルの払い出しは行われない。そして、当該処理が終了する。
なお、ここでの払出処理には、入賞による配当をクレジットメダル枚数に加算する処理も含まれる。具体的には、入賞するとメダルの払い出しとなる配当が得られるが、この配当はクレジットメダル枚数が５０枚に達するまではクレジットメダル枚数に加算され、当該クレジットメダル枚数が５０枚に達した後は、遊技者に対してメダル払出口28から実際にメダルが払い出される。
【０２００】
図２５に示すフローチャートに基づいて、図２４のステップ１５３の遊技開始前処理について説明する。
【０２０１】
先ず、ステップ２０９において、現在の遊技状態における規定数の算出処理が行われる。ボーナス遊技、例えば、ＲＢＢ２では規定数は２枚となり、また、ノーマル遊技、ボーナス内部中遊技及びＲＴ遊技では、規定数は２枚及び３枚となる。例えば、ＲＴ４では、規定数は２枚及び３枚となる。そして、次のステップ２１０に進む。
【０２０２】
ステップ２１０において、現在投入されている賭け数が規定数に達しているか否かが判定される。そして、賭け数が規定数に達していると判定された場合、次のステップ２１１に進み、賭け数が規定数に達していないと判定された場合、ステップ２１２に進む。なおこの判定の前に２ＢＥＴ処理を行える状況か否かを判定するための無効フラグをオフに設定する。
ステップ２１１において、遊技開始が可能に設定される。そして、次のステップ２１２に進む。
【０２０３】
ステップ２１２において、スタートスイッチ40が操作されたか否かが判定される。操作されたと判定された場合、次のステップ２１３に進み、操作されていないと判定された場合、ステップ２１５に進む。
ステップ２１３において、リール62の回転開始の判定処理が行われる。なお、当該処理は後で詳細に説明する（図２６（Ａ）参照）。そして、次のステップ２１４に進む。
【０２０４】
ステップ２１４において、２ＢＥＴ（２枚賭け）の判定処理が行われる。なお、当該処理は後で詳細に説明する（図２６（Ｂ）参照）。そして、次のステップ２１５に進む。
ステップ２１５において、前回遊技で再遊技役に入賞したか否か、すなわち再遊技役に係る図柄61の組み合わせが有効ライン86上に停止表示したか否かが判定される。前回遊技で再遊技役に入賞したと判定された場合、ステップ２２０に進み、当該役が入賞していないと判定された場合、ステップ２１６に進む。
なお、ステップ２１５において、再遊技役に入賞したか否かの判定処理を行うのは、再遊技役に入賞した遊技の次の遊技では入賞した遊技での賭け数と同数の賭け数が自動投入されるため、ステップ２１７やステップ２１９のＢＥＴ処理を行う必要がないためである。なお、ステップ２１５で当該判定処理を行うことなく、ステップ２１７、ステップ２１９内でステップ２１５と同様の再遊技役に入賞したか否かの判定処理を行うようにしてもよい。これにより、マックスベットスイッチ34や２ベットスイッチ35を遊技者が操作したとしても受け付けられないため、これらのスイッチを遊技者が操作したか否かに関わらず、前回と同数の賭け数が設定（ベット）され、次の遊技での最初のスタートスイッチ40の操作により、リール62の回転開始を実行した後、賭け数の設定が行われることはない。
ステップ２１６において、マックスベットスイッチ34の操作が行われたか否かが判定される。そして、当該操作が行われたと判定された場合、次のステップ２１７に進み、当該操作が行われていないと判定された場合、ステップ２１８に進む。
【０２０５】
ステップ２１７において、マックスベットスイッチ34の操作に伴うマックスベット処理が行われる。なお、当該処理は、後で詳細に説明する（図２７（Ａ）参照）。そして、次のステップ２１８に進む。
ステップ２１８において、２ベットスイッチとしてのスタートスイッチ40の操作が行われたか否かが判定される。当該操作が行われたと判定された場合、次のステップ２１９に進み、当該操作が行われていないと判定された場合、ステップ２２０に進む。
【０２０６】
ステップ２１９において、２ＢＥＴ処理（２ベット処理）が行われる。なお、当該処理は後で詳細に説明する（図２７（Ｂ）参照）。そして、次のステップ２２０に進む。
ステップ２２０において、精算スイッチ36が操作されたか否かが判定される。そして、精算スイッチ36が操作されたと判定された場合、次のステップ２２１に進み、精算スイッチ36が操作されていないと判定された場合、ステップ２１０に戻る。
【０２０７】
ステップ２２１において、精算スイッチ36の操作に伴うクレジットメダルの精算処理が行われる。具体的には、設定された賭け数や、内部に貯留されていたクレジットメダル枚数の分だけ遊技者に返却されるものである。ただし、前回遊技において再遊技が入賞したことに基づいて今回遊技にて自動投入された賭け数分については返却されない。そして、次のステップ２１０に戻り、無効フラグをオフにして、賭け数が規定数に達しているか否かの判定を行う。
【０２０８】
図２６（Ａ）に示すフローチャートに基づいて、図２５のステップ２１３の回転開始判定処理について説明する。
【０２０９】
先ず、ステップ２６０において、遊技開始可能であるか否かの判定が行われる。具体的には、現在の遊技において、ステップ２１１により遊技開始可能に設定されているか否かにより判定されるものである。遊技開始可能であると判定された場合、ステップ２６１に進み、遊技開始可能でないと判定された場合、当該処理は終了し、ステップ２１４の２ＢＥＴ判定処理へと進む。
なお、スタートスイッチ40の操作の前に賭け数を判定し、遊技開始可能に設定しておくようにしたが、スタートスイッチ40の操作時に直接賭け数を判定するようにしてもよい。
ステップ２６１において、回胴起動処理が行われ、具体的にはリール62の回転が開始される。また、２ＢＥＴ処理に進むか否かを判定するための無効フラグをＯＮにする。そして、当該処理は終了し、ステップ２１４の２ＢＥＴ判定処理へと進む。
【０２１０】
図２６（Ｂ）に示すフローチャートに基づいて、図２５のステップ２１４の２ＢＥＴ判定処理について説明する。
【０２１１】
先ず、ステップ２７０において、無効フラグがＯＮであるか否かが判定される無効フラグがＯＮであると判定された場合、当該処理は終了し、ステップ１５４に進み、無効フラグがＯＮでなくＯＦＦ（オフ）であると判定された場合、ステップ２７１に進む。なお、本実施の形態では、２ＢＥＴ処理に進むか否かの判定のために無効フラグを用いて判定を行ったが、これに限らず、ステップ２７０にてリールが回転中か否かの判定により２ＢＥＴ処理に進むか否かの分岐とする方法もある。
なお、本実施の形態では無効フラグを２ＢＥＴ処理を行うか否かの判定のためのものとしたが、ＭＡＸＢＥＴを行うか否かの判定のためのフラグを別途備え、２ＢＥＴ用無効フラグ、ＭＡＸＢＥＴ用無効フラグとしてもよい。それぞれ、２ＢＥＴを行えない状況下にて２ＢＥＴ用無効フラグがＯＮになり、ＭＡＸＢＥＴを行えない状況下にてＭＡＸＢＥＴ用無効フラグがＯＮになる。
ステップ２７１において、２ＢＥＴ処理（２ベット処理）が行われる。なお、この２ＢＥＴ処理は、後で詳細に説明する（図２７（Ｂ）参照）。そして、当該処理は終了する。
このように、スタートスイッチ40を操作した際の処理として、まずリール62の回転開始が可能かどうかの判定を行い、回転開始が可能な場合は回転開始を実行し、回転開始が可能でない場合は２ＢＥＴが可能かどうかの判定を行い、２ＢＥＴが可能な場合２ＢＥＴを行うこととした。すなわち、先にリール62の回転に関する処理を実行し、次に２ＢＥＴに関する処理を行う。ここで、回転開始ができずに２ＢＥＴに関する処理を行った場合は、次のスタートスイッチ40の操作でリール62の回転開始に関する処理を改めて実行するようにしている。これにより、１回のスタートスイッチ40の操作による処理に基づいてベット（ＢＥＴ）に関する処理を行い、続いて回転に関する処理を行う技術に比べて、最大投入枚数をベット（いわゆるマックスベット）する前にスタートスイッチ40を操作するなどの万が一の誤操作であっても、再設定を行う猶予が確保できるため、１回の操作でリール62の回転開始まで進んでしまったといった取り返しのつかない事態の発生を防止できる。
【０２１２】
図２７（Ａ）に示すフローチャートに基づいて、図２５のステップ２１７のＭＡＸＢＥＴ処理（マックスベット処理）について説明する。
【０２１３】
先ず、ステップ３１１において、現在までに既に設定されている賭け数、いわゆる既賭け数が最大規定数であるか否かが判定される。そして、既賭け数が最大規定数であると判定された場合、当該処理は終了し、既賭け数が最大規定数ではないと判定された場合、次のステップ３１２に進む。
【０２１４】
ステップ３１２において、最大規定数は３であるか否かが判定される。最大規定数が３であると判定された場合、次のステップ３１３に進み、最大規定数が３でないと判定された場合、ステップ３１５に進む。
【０２１５】
ステップ３１３において、クレジットメダル枚数が、３から既賭け数を減算した数（３−既賭け数）以上であるか否かが判定される。すなわち、最大規定数をベットできるだけのメダル枚数がクレジットメダル枚数に残っているかを判定する。そして、当該条件を満足していると判定された場合、次のステップ３１４に進み、当該条件を満足していないと判定された場合、当該処理は終了する。
なお、本実施例ではマックスベットスイッチ34を押したときに、最大規定数を賭け数として設定することができるときのみベット処理を行い、最大規定数に足らない場合はマックスベットスイッチ34による賭け数の設定を行わないようにしているが、特にこれに限定されるものではない。最大規定数に足らない場合であっても、クレジットメダル枚数に残っている全てを賭け数に加算するようにしてもよい。
【０２１６】
ステップ３１４において、３から既賭け数を減算した値（３−既賭け数）を、賭け数に加算する。
具体的には、例えば、現状の遊技において、最大規定数が３に設定され、既賭け数が０枚であるときは、３−０＝３枚を賭け数として加算し、また、既賭け数が１枚であるときは、３−１＝２枚を賭け数として加算して合計の賭け数を３枚にする。また、既賭け数が２枚であるときは、３−２＝１枚を賭け数として加算して合計の賭け数を３枚にする。
そして、当該処理は終了する。
なお、３から既賭け数を減算した値である演算結果を一度に賭け数に加算するようにしているが、これに限定されるものではなく、１枚加算して加算を終えるか否かを判定する処理を繰り返すことで同じ枚数を加算するようにしてもよい。他の処理との兼ね合いで後者の方が処理の簡略化が図れることがあるためである。すなわち、加算処理の方法は適宜定めればよい。ステップ３１４以外の例えばステップ３１６なども同様である。
【０２１７】
ステップ３１２で最大規定数が３でないと判定された場合、ステップ３１５において、クレジットメダルの数が、２から既賭け数を減算した数（２−既賭け数）以上であるか否かが判定される。すなわち、最大規定数をベットできるだけのメダル枚数がクレジットメダル枚数に残っているかを判定する。そして、当該条件を満足していると判定された場合、次のステップ３１６に進み、当該条件を満足していないと判定された場合、当該処理は終了する。
【０２１８】
ステップ３１６において、２から既賭け数を減算した値（２−既賭け数）を、賭け数に加算する。
具体的には、例えば、現状の遊技において、最大規定数が２に設定され、既賭け数が０枚であるときは、２−０＝２枚を賭け数として加算し、また、既賭け数が１枚であるときは、２−１＝１枚を賭け数として加算して合計の賭け数を２枚にする。そして、当該処理は終了する。
【０２１９】
なお、上述したフローチャートでクレジットメダル枚数の演算処理や調整等は特に記入していないが、賭け数の設定により設定された枚数に基づくクレジットメダル枚数の演算処理や、既賭け数のクリア等によるクレジットメダル枚数の演算処理は適切に調整して実施されるものである（以下のフローチャートでも同様）。具体的には例えば、ステップ３１４、ステップ３１６での処理に併せて、加算した分のメダル枚数をクレジットメダル枚数から減算するような演算処理は適切に調整して実施されるものである。
【０２２０】
図２７（Ｂ）に示すフローチャートに基づいて、図２５のステップ２１９の２ＢＥＴ処理（２ベット処理、２枚賭け処理）について説明する。
【０２２１】
先ず、ステップ３２１において、２から既賭け数を減算した数（２−既賭け数）が０未満であるか否かが判定される。すなわち、既賭け数として３枚が賭けられている状況であるか否かが判定される。そして、当該条件を満足していると判定された場合、次のステップ３２２に進み、当該条件を満足していないと判定された場合、ステップ３２４に進む。
【０２２２】
ステップ３２２において、既賭け数を０クリア、すなわち０に設定する。そして、次のステップ３２３に進む。
ステップ３２３において、賭け数に２を加算する。そして、次のステップ３２４に進む。
ステップ３２４において、既賭け数が２であるか否かが判定される。既賭け数が２であると判定された場合、当該処理は終了し、既賭け数が２でないと判定された場合、次のステップ３２５に進む。
【０２２３】
ステップ３２５において、クレジットメダル枚数が、２から既賭け数を減算した数（２−既賭け数）以上であるか否かが判定される。そして、当該条件を満足していると判定された場合、次のステップ３２６に進み、当該条件を満足していないと判定された場合、当該処理は終了する。
【０２２４】
ステップ３２６において、２から既賭け数を減算した値（２−既賭け数）を、賭け数に加算する。
具体的には、例えば、現状の遊技において、最大規定数が２に設定され、既賭け数が０枚であるときは、２−０＝２枚を賭け数として加算し、また、既賭け数が１枚であるときは、２−１＝１枚を賭け数として加算して合計の賭け数を２枚にする。そして、当該処理は終了する。
なお、ステップ３２１、ステップ３２２、ステップ３２３の処理は、上述のように既賭け数が３のときに２ベットに再設定するときの処理であり、２ベットスイッチ35を操作したときに実行される処理である。これにより、操作するつもりではなかったがマックスベットスイッチ34を操作してしまった場合には、２ベットスイッチ35を操作することで精算処理を行うことなく２ベットに設定し直すことができる。このため、賭け数の変更（再設定）に要する手順として精算処理が不要になり、最小限の処理で済む。既賭け数が３の状況でスタートスイッチ40の操作を行った場合は、ステップ２６１を実行してステップ２７１を実行しない。したがって、スタートスイッチ40の操作時の２ＢＥＴ処理としてはステップ３２４、ステップ３２５、ステップ３２６となる。
【０２２５】
図２７（Ｃ）に示すフローチャートに基づいて、メダル投入口38からのメダルの手投入（手入れ）された際の１枚のメダルが投入されて、投入センサ92により１枚のメダルが検知されたときの処理について説明する。なお、この手投入（手入れ）による処理は割込処理により実施される。
【０２２６】
先ず、ステップ３５０において、現在までに既に設定されている賭け数、いわゆる既賭け数が最大規定数であるか否かが判定される。そして、既賭け数が最大規定数であると判定された場合、ステップ３５２に進み、既賭け数が最大規定数ではないと判定された場合、ステップ３５１に進む。
【０２２７】
ステップ３５１において、賭け数に１が加算される。そして、当該処理は終了する。
ステップ３５０で既賭け数が最大規定数であると判定された場合、ステップ３５２でクレジットメダル枚数に１が加算される。そして、次のステップ３５３に進む。
ステップ３５３において、クレジットメダル枚数が上限の５０に到達したか否かが判定される。上限に到達したと判定された場合、次のステップ３５４に進み、到達していないと判定された場合、当該処理は終了する。
ステップ３５４において、メダルの投入を負荷とする投入不可設定が行われる。具体的には、メダル投入口38から投入されたメダルをメダル受け皿26へ案内する返却通路を介して、遊技者へ返却される。そして、当該処理は終了する。
【０２２８】
本実施の形態では、上述したような構成を有することにより、以下に示すような作用及び効果を奏する。
【０２２９】
以下に、第１の遊技状態をＲＴ２とし、第２の遊技状態をＲＴ４とし、第１の賭け数を３枚賭け、第２の賭け数を２枚賭けとして作用効果を説明する。
なお、第１の遊技状態をＲＴ３とし、第２の遊技状態をＲＴ５とし、第１の賭け数を３枚賭け、第２の賭け数を２枚賭けとしても同様の作用効果を奏するものである。
【０２３０】
本実施の形態によれば、第１の遊技状態としてのＲＴ２では、２枚賭けのＲＴ２（２ＢＥＴ「ＲＴ２」）の方が、３枚賭けのＲＴ２（３ＢＥＴ「ＲＴ２」）よりも、再遊技役の役抽選の確率が高くて有利な遊技状態になっている。
一方、第２の遊技状態としてのＲＴ４では、３枚賭けのＲＴ４（３ＢＥＴ「ＲＴ４」）の方が、２枚賭けのＲＴ４（２ＢＥＴ「ＲＴ４」）よりも、再遊技役の役抽選の当選確率が高くて有利な遊技状態になっている。
【０２３１】
つまり、ＲＴ２とＲＴ４とにおいて、３枚賭けと、２枚賭けとで再遊技役の当選確率による有利度合いが互い違いになっている。
これにより、ＲＴ２とＲＴ４とで、遊技状態が変更されるときには、同一の賭け数で遊技を実施していても、有利な遊技状態を享受することができず、各遊技状態において、有利となる遊技状態に対応する賭け数に変更する必要があり、遊技性を変化させることができる。なお、上述したＲＴ２とＲＴ４との関係は、ＲＴ３とＲＴ５との関係でも同様に成立するものであり、上述したものと同様の作用及び効果を奏する。
これにより、ＲＴ２と、ＲＴ４とにおいて、３枚賭けと、２枚賭けとの賭け数を異ならせることへの意欲を発生させ、賭け数が異なる遊技状態への参加意欲を向上させることができ、興趣を増加させることができる。
【０２３２】
本実施の形態によれば、上述した「有利な遊技状態」とは、再遊技役の当選確率が高い遊技状態である。これにより、ＲＴ２とＲＴ４とにおいて、３枚賭けと２枚賭けとの賭け数を変更することで、再遊技役の当選確率を変更することができ、遊技状態毎、賭け数毎に有利度合いを変更することができる。
【０２３３】
本実施の形態によれば、３枚賭けが設定されたＲＴ４は、２枚賭けが設定されたＲＴ２よりも遊技者に対して多くの遊技媒体としてのメダルを付与可能である。
一方、ＲＴ２では、３枚賭けよりも２枚賭けの方が、再遊技役の当選確率が高く有利な遊技状態であり、ＲＴ４では、２枚賭けよりも３枚賭けの方が再遊技役の当選確率が高く有利な遊技状態である。結果として、遊技者は、３枚賭けのＲＴ４へ移行することを望むことになる。
【０２３４】
３枚賭けが設定されたＲＴ４は、２枚賭けが設定されたＲＴ２よりも多くのメダルを遊技者が獲得可能なので、遊技者の３枚賭けのＲＴ４を目指す意欲を高めることができる。
【０２３５】
本実施の形態によれば、報知手段としての表示装置84が３枚賭けと２枚賭けとのいずれを設定するかに関する情報を遊技者に対して報知する。遊技者は、当該情報を得ることで、３枚賭けと２枚賭けとのいずれを設定した方がよいかの判断をすることができる。これにより、当該遊技機10に熟練していない初心者等でも、適切な賭け数を選択することができる。
【０２３６】
本実施の形態によれば、スタートスイッチ40が、クレジットメダルからの２枚投入である２枚賭けを設定させる役割と、３個のリール62の変動表示を開始させる役割との２つの役割を有している。
【０２３７】
これにより、スタートスイッチ40とベットスイッチ32と２つの異なる操作スイッチを押下するために手を、その都度移動させて操作する場合と比較して、単一のスタートスイッチ40を連続して操作することで、２枚賭けの設定と、３個のリール62の回転の開始との２つを連続して行うことができる。その結果、手や指の操作箇所をその都度、それぞれ移動させることなく、遊技操作の疲労や負担を軽減することができて遊技意欲を増加させることができる。
【０２３８】
さらに、既に賭け数が設定されているような場合（具体的には、前回遊技で再遊技役（リプレイ役）に係る図柄61の組み合わせが有効ライン86上に停止表示することで既に今回遊技で賭け数が設定されているような場合）であっても、スタートスイッチ40の操作が２回必要となることがなくて、従来よりも操作回数が増えずに、従来遊技に慣れ親しんだ遊技者にとって嫌悪感を引き起こすこともない。
すなわち、３枚賭けの遊技を行う場合や、再遊技役（リプレイ役）に係る図柄61の組み合わせが有効ライン86上に停止表示した遊技の後の遊技を行う場合においては、従来遊技での操作性を継承し、かつ、２枚賭けの遊技を行う場合の操作性を改善することができる。
【０２３９】
本実施の形態によれば、遊技者にとって慣れ親しんだスタートスイッチ40を繰り返し操作することで賭け数設定とリール62の回転開始という連続した遊技の操作処理をテンポよくリズムに乗って操作することができ、遊技意欲を増加させることができる。
すなわち、ベットスイッチ32等のハード構成に変更を加えることなく、３枚賭けの遊技と、再遊技役（リプレイ役）に係る図柄61の組み合わせが所定態様に停止表示した遊技の後の遊技とにおける操作性を慣れ親しんだ従来遊技から維持することができる。それに加えて、３枚賭けの遊技を行う場合と２枚賭けの遊技を行う場合と切り替えるための操作を簡易かつ明確なものとすることができる。
【０２４０】
なお、本実施の形態では、スタートスイッチ40の操作により２枚賭けの設定を実行可能としているが、特に２枚賭けに限定されるものではなく、スタートスイッチ40の操作により、３枚賭けや、１枚賭けや、その他の枚数の投入が設定されるようにしてもよい。
【０２４１】
本実施の形態に係る遊技機10は、役に係る図柄61の組み合わせが所定態様に停止表示した場合に今回の遊技（例えば１回目の遊技）で用いられた賭け数と同数の賭け数が次回の遊技（例えば２回目の遊技）において設定される再遊技役を備え、再遊技役に係る図柄61の組み合わせが所定態様に停止表示した場合に今回の遊技（例えば１回目の遊技）で用いられた賭け数と同数の賭け数が次回の遊技（例えば２回目の遊技）において設定され、当該次回の遊技（例えば２回目の遊技）の最初のスタートスイッチ40の操作により、複数のリール62の変動表示を実行した後、スタートスイッチの操作による第２の賭け数の設定を実行しない。
本実施の形態によれば、例えば再遊技役に係る図柄61の組み合わせが有効ライン86上に停止表示した場合に今回の遊技（例えば１回目の遊技）で用いられた賭け数と同数の賭け数が次回の遊技（例えば２回目の遊技）において設定される。
【０２４２】
すなわち、再遊技役に係る図柄61の組み合わせが有効ライン86上に停止表示した場合に前記今回の遊技で用いられた賭け数が、例えば、３枚賭けである場合には、前記次回の遊技でも３枚賭けが設定される。そして、前記次回の遊技の最初のスタートスイッチ40の操作により、リール62の回転開始処理が実行された後、当該スタートスイッチ40の操作に基づく２枚賭けの設定は実行されない。
【０２４３】
また、再遊技役に係る図柄61の組み合わせが有効ライン86上に停止表示した場合に前記今回の遊技で用いられた賭け数が、例えば、２枚賭けである場合には、前記次回の遊技でも２枚賭けが設定される。そして、前記次回の遊技の最初のスタートスイッチ40の操作により、リール62の回転開始処理が実行された後、当該スタートスイッチ40の操作に基づく２枚賭けの設定は実行されない。
【０２４４】
いずれの場合であっても、前記今回の遊技で再遊技役に係る図柄61の組み合わせが有効ライン86上に停止表示した場合、前記次回の遊技では、前記今回の遊技で用いられた賭け数と同数の賭け数が前記次回の遊技において設定されている。前記次回の遊技の最初のスタートスイッチ40の操作が行われたとき、賭け数が設定されていることになり、リール62の回転開始処理が実行され、その後のスタートスイッチ40の操作による２枚賭けの設定は実行されないことになる。
【０２４５】
すなわち、前記今回の遊技で再遊技役に係る図柄61の組み合わせが有効ライン86上に停止表示することで前記次回の遊技で賭け数が設定されているような場合、当該次回の遊技の最初のスタートスイッチ40の操作が行われると、リール62の回転開始処理が実行される。これにより、前記今回の遊技で再遊技役が成立して、前記次回の遊技の賭け数が設定されているような場合には、リール62の回転開始までにスタートスイッチ40の操作が２回必要となることがなくて、従来よりも操作回数が増えずに、従来遊技に慣れ親しんだ遊技者にとって嫌悪感を引き起こすこともなく、テンポよく遊技を進行させることができ、遊技意欲を増加させることができる。
【０２４６】
本実施の形態では、ボーナス遊技以外のマックスベットスイッチ34が３枚に設定される場合、スタートスイッチ40の操作により２枚賭けが設定され、さらに、マックスベットスイッチ34の操作が行われた場合、設定された前記２枚賭けを３枚賭けに変更する。
【０２４７】
なお、本実施の形態では、スタートスイッチ40の操作により２枚賭けが設定可能としたことで、マックスベットスイッチ34の操作により、２枚賭けの設定を３枚賭けの設定に変更可能としているが、特にこれに限定されるものではない。例えば、スタートスイッチ40の操作により３枚賭けが設定可能とするような場合には、２ベットスイッチ35の操作により、３枚賭けの設定を２枚賭けの設定に変更可能としてもよい。
【０２４８】
例えば、未だ賭け数が設定されていない状態において、スタートスイッチ40の１回目の操作で２枚賭けが設定され、その後のスタートスイッチ40の２回目の操作で、２枚賭けが設定された状態におけるリール62の回転を開始させることができる。
【０２４９】
また、例えば、マックスベットスイッチ34が３枚に設定されている場合に未だ賭け数が設定されていない状態において、スタートスイッチ40の１回目の操作で２枚賭けが設定され、その後のマックスベットスイッチ34の操作で、賭け数を、２枚賭けから３枚賭けに変更することができる。そして、更に、スタートスイッチ40の操作をすることで、３枚賭けの状態におけるリール62の回転を開始させることができる。
【０２５０】
このように、遊技者にしてみれば、スタートスイッチ40と、ベットスイッチ32という２種類の慣れ親しんだ操作スイッチだけを操作することで、簡単に賭け数の変更を実行することができ、テンポよくリズムに乗って遊技を進行させることができる。結果として遊技意欲を増加させることができる。
【０２５１】
本実施の形態によれば、ＲＴ２では、スタートスイッチ40の操作により２枚賭けが設定されて遊技を実行した場合には、ベットスイッチ32の操作により３枚賭けが設定されて遊技を実行した場合よりも再遊技役の役抽選の当選確率が高確率に設定されて遊技者にとって有利な結果が得られる可能性が高い。
【０２５２】
また、ＲＴ４では、ベットスイッチ32の操作により３枚賭けが設定されて遊技を実行した場合には、スタートスイッチ40の操作により２枚賭けが設定されて遊技を実行した場合よりも遊技者にとって再遊技役の役抽選の当選確率が高確率に設定されて有利な結果が得られる可能性が高い。
【０２５３】
このように、遊技者にとって有利な結果が得られる可能性が高い賭け数がＲＴ２とＲＴ４とでは、互い違いになっていることで、有利な遊技状態を享受するためには、遊技状態の相違により賭け数を変更することが必要となる。これにより、賭け数の異なる遊技状態への参加意欲を増加させることができ、変化に富んで、意外性を有し、興趣に富むものにすることができる。
【０２５４】
本実施の形態によれば、ＲＴ２では、賭け数の設定においてスタートスイッチ40の操作の方が、ベットスイッチ32の操作よりも有利となり、一方、ＲＴ４では、賭け数の設定においてベットスイッチ32の操作の方がスタートスイッチ40の操作よりも有利となる。
ＲＴ２と、ＲＴ４とで、有利な状態を獲得するために賭け数の変更が必要となり、この賭け数の変更をスタートスイッチ40操作とベットスイッチ32操作との変更により行うことができる。
【０２５５】
賭け数の変更を行うのに、マックスベットスイッチ34や２ベットスイッチ35等のように複数種類のベットスイッチ32を操作して行おうとしても、通常、それらのスイッチは同一種類で形態も似たものが一般的であり、取り付け位置も隣接した略同位置にあるものが多いのが通常である。それに対して、スタートスイッチ40と、ベットスイッチ32とでは、スタートスイッチ40がレバー押下式で、ベットスイッチ32は押しボタン式であって、操作形態も異なり、取り付け位置も操作部30の上面と正面側とで全く異なるものであり、それらを間違える可能性は少ない。
【０２５６】
すなわち、スタートスイッチ40とベットスイッチ32との区別は、明らかに位置や形態が異なり間違い難くすることが可能となる。
結果として、ベットスイッチ32の種類の異なるものを切り替えて操作することと、スタートスイッチ40及びベットスイッチ32の異なる操作スイッチを切り替えることとでは、明らかにスタートスイッチ40とベットスイッチ32とを切り替える方が操作の間違いや混同を抑えることができ、確実な操作が可能となる。
【０２５７】
本実施の形態では２ベットスイッチ35を有するスロットマシンとして説明したが、これに限定されるものではない。３枚などの最大賭け数を設定するためのマックスベットスイッチ34と、２ベットを行うためのスタートスイッチ40とを最低限有していれば実現可能であって、２ベットスイッチ35は必ずしも必要ではない。しかし、以下のような（１）〜（３）の利点があるため２ベットスイッチ35を備えてもよい。
（１）マックスベット（３枚賭け）してしまったときに、精算スイッチ36の操作による精算処理を実行することなく、２枚賭けに切替可能である。
（２）従来用いられている、いわゆるシングルベットスイッチではなく、スタートスイッチ40によるベットと同じ賭け数（同じ価値）の２ベットスイッチ35であるため、１回の操作で２枚賭けを実行することができる（いわゆるシングルベットスイッチだと２回操作することが必要となる）。
（３）従来用いられているシングルベットスイッチを設けないようにすると却って操作部30等のハード構成の変更が必要になる。シングルベットスイッチの代わりに２ベットスイッチ35を設けることで操作部30等のハード構成の変更は不要になる。
【０２５８】
本実施の形態では、ＲＴ４、ＲＴ５への移行契機として、ＲＴ４移行リプレイ役とＲＴ５移行リプレイ役とをそれぞれ再遊技役としていたが、これに限らず、リプレイ役以外の予め定められた図柄の組合せであっても良く、例えば所定役が当選した際の所定の取りこぼし出目であってもよい。ここで、「取りこぼし出目」とは、役抽選の結果、当選した際に所定の停止操作態様で停止操作すると当選役に係る図柄の組み合わせを有効ライン86上に停止表示させることが可能な状態において、当該図柄の組み合わせを停止表示させることができなかったときに有効ライン86上に停止表示される所定の図柄の組み合わせである。この場合、図１７、図１９〜図２３においては、ＲＴ４移行リプレイ役が再遊技役であるために当該ＲＴ４移行リプレイ役が停止表示された次の遊技も２枚賭けの遊技となり２ＢＥＴのＲＴ４の遊技となっていたが、所定の取りこぼし出目を移行契機とすると、所定の取りこぼし出目が停止表示された次の遊技は賭け数の変更を行うことができ、３ＢＥＴのＲＴ４の遊技を行うことができる。
【符号の説明】
【０２５９】
10  遊技機                              12  筐体
14  前扉                                16  図柄表示窓部
17  メダルセレクタ                      18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  ２ベットスイッチ
36  精算スイッチ                        38  メダル投入口
40  スタートスイッチ                    42  チャンスボタン
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  リール                              63  リール位置センサ
64  左リール                            65  ステッピングモータ
66  中リール                            68  右リール
70  演出装置                            72  スピーカー
74  上部スピーカー                      76  下部スピーカー
78  演出用ランプ                        80  上部ランプ
82  下部ランプ                          84  表示装置
86  有効ライン                          87  クレジット表示器
88  払出枚数表示器                      89  設定表示器
92  投入センサ                          94  払出センサ
95  ホッパーモータ                      96  オーバーフローセンサ
100  制御装置                          200  メイン制御手段
210  役抽選手段                        220  リール制御手段
230  停止図柄判定手段                  240  払出制御手段
250  遊技制御手段                      251  ノーマル遊技制御手段
252  ＲＴ遊技制御手段                  253  ボーナス遊技制御手段
254  ボーナス内部中遊技制御手段        267  移行抽選手段
300  送信手段                          400  サブ制御手段
410  受信手段                          420  演出制御手段
【図１】
2019010245.tif 000003
【図２】
2019010245.tif 000004
【図３】
2019010245.tif 000005
【図４】
2019010245.tif 000006
【図５】
2019010245.tif 000007
【図６】
2019010245.tif 000008
【図７】
2019010245.tif 000009
【図８】
2019010245.tif 000010
【図９】
2019010245.tif 000011
【図１０】
2019010245.tif 000012
【図１１】
2019010245.tif 000013
【図１２】
2019010245.tif 000014
【図１３】
2019010245.tif 000015
【図１４】
2019010245.tif 000016
【図１５】
2019010245.tif 000017
【図１６】
2019010245.tif 000018
【図１７】
2019010245.tif 000019
【図１８】
2019010245.tif 000020
【図１９】
2019010245.tif 000021
【図２０】
2019010245.tif 000022
【図２１】
2019010245.tif 000023
【図２２】
2019010245.tif 000024
【図２３】
2019010245.tif 000025
【図２４】
2019010245.tif 000026
【図２５】
2019010245.tif 000027
【図２６】
2019010245.tif 000028
【図２７】
2019010245.tif 000029
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
遊技を開始するために設定可能な遊技媒体の賭け数を設定するためのベットスイッチと、
複数種類の図柄を変動表示する複数のリールと、
前記複数のリールの前記変動表示を開始させるスタートスイッチと、
少なくとも第１の賭け数と前記第１の賭け数とは異なる第２の賭け数とのいずれかを設定することで遊技を実行可能に制御する制御手段とを備え、
前記制御手段は、役に当選か否かの役抽選をする役抽選手段を備え、
前記役抽選で当選した前記役に係る図柄の組み合わせが所定態様に停止表示することで入賞し遊技者に対して利益を付与可能な遊技を実行可能な遊技機であって、
前記役として、前回遊技で入賞すると前記前回遊技で設定された賭け数と同一の賭け数が今回の遊技で自動的に設定される再遊技役が設けられ、
前記制御手段は、
前記ベットスイッチの操作により前記第１の賭け数を設定可能とし、
前記スタートスイッチの操作により前記変動表示を開始するか否かを判定した後、前記第２の賭け数を設定可能とし、
前記スタートスイッチの操作が行われたときに、少なくとも前記第１の賭け数又は前記第２の賭け数が設定されておらず前記複数のリールの前記変動表示が実行されなかった場合、前記スタートスイッチの操作による前記第２の賭け数の設定を実行可能にし、
前記スタートスイッチの操作が行われたときに、少なくとも前記第１の賭け数又は前記第２の賭け数が設定されている場合、前記複数のリールの前記変動表示を実行した後、前記スタートスイッチの操作による前記第２の賭け数の設定を実行しないことを特徴とする遊技機。
【請求項２】
前記制御手段は、
前記スタートスイッチの操作により前記第２の賭け数が設定され、さらに、前記ベットスイッチの操作が行われた場合、設定された前記第２の賭け数を前記第１の賭け数に変更することを特徴とする請求項１に記載の遊技機。
【請求項３】
前記スタートスイッチの操作により前記第２の賭け数が設定されて遊技を実行した場合には、前記ベットスイッチの操作により前記第１の賭け数が設定されて遊技を実行した場合よりも遊技者にとって有利な結果が得られる可能性が高い第１の遊技状態と、
前記ベットスイッチの操作により前記第１の賭け数が設定されて遊技を実行した場合には、前記スタートスイッチの操作により前記第２の賭け数が設定されて遊技を実行した場合よりも遊技者にとって有利な結果が得られる可能性が高い第２の遊技状態とを備えることを特徴とする請求項１又は請求項２に記載の遊技機。
【手続補正２】
【補正対象書類名】明細書
【補正対象項目名】００１０
【補正方法】変更
【補正の内容】
【００１０】
本発明に係る遊技機10は、次の点を特徴とする。すなわち、遊技を開始するために設定可能な遊技媒体の賭け数を設定するためのベットスイッチ32と、複数種類の図柄61を変動表示する複数のリール62と、前記複数のリール62の前記変動表示を開始させるスタートスイッチ40と、少なくとも第１の賭け数（具体的には、例えば３枚）と前記第１の賭け数とは異なる第２の賭け数（具体的には例えば２枚）とのいずれかを設定することで遊技を実行可能に制御する制御手段（具体的には、例えばメイン制御手段200）とを備え、前記制御手段は、役に当選か否かの役抽選をする役抽選手段210を備え、前記役抽選で当選した前記役に係る図柄61の組み合わせが所定態様に停止表示することで入賞し遊技者に対して利益を付与可能な遊技を実行可能な遊技機10であって、前記役として、前回遊技で入賞すると前記前回遊技で設定された賭け数と同一の賭け数が今回の遊技で自動的に設定される再遊技役が設けられ、前記制御手段は、前記ベットスイッチ32の操作により前記第１の賭け数を設定可能とし、前記スタートスイッチ40の操作により前記変動表示を開始するか否かを判定した後、前記第２の賭け数を設定可能とし、前記スタートスイッチ40の操作が行われたときに、少なくとも前記第１の賭け数又は前記第２の賭け数が設定されておらず前記複数のリール62の前記変動表示が実行されなかった場合、前記スタートスイッチ40の操作による前記第２の賭け数の設定を実行可能にし、前記スタートスイッチ40の操作が行われたときに、少なくとも前記第１の賭け数又は前記第２の賭け数が設定されている場合、前記複数のリール62の前記変動表示を実行した後、前記スタートスイッチ40の操作による前記第２の賭け数の設定を実行しないことを特徴とする。